(57)【要約】  本発明は、携帯電話を開閉する摺動機構に係る。該機構は、メインプレート、メインプレートに対して摺動可能に接続されるスライダプレート、メインプレートに対して軸回転可能に固定される第１のブロック、第１のブロックに対して固定される１つ又はそれ以上の第１のロッド部材、第１のロッド部材に対して接続され、且つ膨張力を生成する第１の弾性部材、スライダプレートに対して軸回転可能に固定される第２のブロック、第２のブロックに対して固定される１つ又はそれ以上の第２のロッド部材、第２のロッド部材に対して接続され且つ膨張力を生成する第２の弾性部材、並びに、第１及び第２のブロックの中心範囲に置かれ、且つ第１及び第２の弾性部材の端部を支持する接続ブロックを有する。接続ブロックは、第１のロッド部材の端部が第２のブロックに向かって方向付けられるよう、また、第２のロッド部材の端部が第１のブロックに向かって方向付けられるよう、第１及び第２のブロックを有して第１及び第２のロッド部材を摺動可能に接続する。第１及び第２の弾性部材は、優れた弾力性及び寿命を有する圧縮バネを有して形成され、携帯電話の信頼性を高める。
2008501288.tif 000002
【特許請求の範囲】
【請求項１】
携帯通信端末を摺動可能に開閉する機構であって、
（ａ）  メインプレートと、
（ｂ）  前記メインプレートに対して摺動可能に接続されるスライダプレートと、
（ｃ）  前記メインプレートに対して軸回転可能に固定される第１のブロックと、
（ｄ）  前記第１のブロックに対して固定される１つ又はそれ以上の第１のロッド部材と、
（ｅ）  前記第１のロッド部材に対して接続され、膨張力を生成する第１の弾性部材と、
（ｆ）  前記スライダプレートに対して軸回転可能に固定される第２のブロックと、
（ｇ）  前記第２のブロックに対して固定される１つ又はそれ以上の第２のロッド部材と、
（ｈ）  前記第２のロッド部材に対して接続され、膨張力を生成する第２の弾性部材と、
（ｉ）  前記第１のブロックと前記第２のブロックとの間に置かれ、且つ、前記第２のロッド部材の端部が前記第２のブロックに向かって方向付けられ、前記第２のロッド部材が前記第１のブロックに向かって方向付けられるよう前記第１のロッド部材及び前記第２の部材と摺動可能に接続され、また、前記第１及び第２の弾性部材の端部を支持する、接続ブロックと、
を有する、
機構。
【請求項２】
携帯通信端末を摺動可能に開閉する機構であって、
（ａ）  メインプレートと、
（ｂ）  前記メインプレートに対して摺動可能に接続されるスライダプレートと、
（ｃ）  前記メインプレートに対して軸回転可能に固定される第１のブロックと、
（ｄ）  前記第１のブロックに対して固定される１つ又はそれ以上の第１のロッド部材と、
（ｅ）  前記第１のロッドに対して接続され、膨張力を生成する第１の弾性部材と、
（ｆ）  前記スライダプレートに対して軸回転可能に固定される第２のブロックと、
（ｇ）  前記第２のブロックに対して固定される１つ又はそれ以上の第２のロッド部材と、
（ｈ）  前記第２のロッド部材に対して接続され、膨張力を生成する第２の弾性部材と、
（ｉ）  前記第１のブロックと前記第２のブロックとの間に置かれる接続ブロックと、
を有し、
前記接続ブロックは、摺動可能に組み合わされる前記第１のロッド部材に対して形成される第１のスライドホールと、前記第１のロッドの前記軸に対して垂直な方向において前記第１のスライドホールから間隔をあけて置かれる位置において形成される第２のスライドホールとを有して、前記第２のロッド部材が摺動可能に組み合わされるようにし、
前記接続ブロックは、前記第１及び第２の弾性部材の端部を支持する、
機構。
【請求項３】
前記第１のブロック及び前記第２のブロックは、前記第１及び第２の弾性部材の前記膨張力が前記第１及び第２のブロック上に与えられるよう適所に取り付けられ、
前記スライダプレートは、前記スライダプレートが移動する間の特定の点において、閉鎖される際は閉鎖方向において、あるいは開かれる際は開放方向において弾性的にバイアスをかけられる、
請求項１又は２記載の機構。
【請求項４】
前記第１のロッド部材は２つ一組で形成され、前記第１のロッド部材の組は前記第１のスライドホール通過後に互いに対して接続され、
前記第２のロッド部材は２つ一組で形成され、前記第２のロッド部材の組は前記第２のスライドホール通過後に互いに対して接続される、
請求項１又は２記載の機構。
【請求項５】
１つ又はそれ以上の案内軸は、前記スライダプレートに対して接続され、
前記メインプレートは、摺動可能に組み合わされ、したがって前記スライダプレートの移動経路を案内するよう、前記案内軸に対して形成される案内ホールが備えられる、
請求項１又は２記載の機構。
【請求項６】
前記第１及び第２の弾性部材は、圧縮バネを有して形成される、
請求項１又は２記載の機構。
【請求項７】
前記スライダプレートの開放方向における移動距離は、前記スライダプレートの閉鎖方向における移動距離より短いよう構成される、
請求項１又は２記載の機構。
【請求項８】
第１のボディと、前記第１のボディを摺動可能に開閉する第２のボディを有する、携帯通信端末を摺動可能に開閉する機構であって、
（ａ）  前記第１のボディに対して部分的に結合される第１のプレートと、
（ｂ）  前記第２のボディの後面に対して結合され、前記第１のプレートに対して摺動可能に結合される、第２のプレートと、
（ｃ）  前記第１のプレートと前記第２のプレートとの間に配置され、前記第１のプレートと前記第２のプレートとを互いに対して弾性的に接続する、一組の圧縮バネと、
（ｄ）  前記第１のプレートと前記第２のプレートとの間に直線的且つ回転可能に前記圧縮バネを案内するよう前記圧縮バネの内部に挿入され、一端において開放されるＵ字型のリンク部材と、
を有し、
（ｅ）  前記第２のプレートが転移点を越えて通る瞬間に、前記第２のプレートは、前記圧縮バネの弾性力を用いて前方向において前記第１のプレートに沿って加速される、
機構。
【請求項９】
前記リンク部材の前記開放端部は、前記第１のプレートに対して回転可能に取り付けられる、
請求項８記載の機構。
【請求項１０】
第１のブロック及び第１の結合ピンは、前記リンク部材の前記開放端部に対して接続され、前記第１のブロックが直線運動を行うよう前記リンク部材の一端を案内するようにし、また、前記結合ピンが前記第１のブロックを回転可能に固定するようにする、
請求項９記載の機構。
【請求項１１】
第２のブロック及び第２の結合ピンは、前記リンク部材の他端に対して接続され、前記第２のブロックが前記圧縮バネに対して自由に動くよう前記リンク部材の前記他端を案内するようにし、また、前記第２の結合ピンが前記リンク部材から離れないよう前記第２のブロックを固定するようにする、
請求項９記載の機構。
【請求項１２】
案内軸は、前記第１のプレートを摺動可能に開閉するよう、前記第２のプレートの両端に対して接続される、
請求項８記載の機構。
【請求項１３】
前記案内軸は、前記第２のプレートの一端へと貫通挿入され、前記第２のプレートの他端へと途中まで挿入され且つ支持され、
前記第２のプレートの前記貫通挿入された端部は、接着によって仕上げられる、
請求項１２記載の機構。
【請求項１４】
前記第１のプレートと前記第２のプレートは、プラスチック材料を有して形成される、
請求項８記載の機構。
【請求項１５】
メインボディと、前記メインボディに対して摺動可能に作動し得るスライダボディとを有する、携帯通信端末を摺動可能に開閉する機構であって、
（ａ）  前記メインボディに対して結合される固定プレートと、
（ｂ）  前記固定プレートに対して摺動するよう前記スライダボディに対して結合されるスライダプレートと、
（ｃ）  前記固定プレートにおいて支持される一端と、前記スライダプレートにおいて支持される他端とを有する、第１の弾性部材と、
（ｄ）  前記固定プレートにおいて支持される一端と、前記スライダプレートにおいて支持される他端とを有する、第２の弾性部材と、
を有し、
前記第１の弾性部材と前記第２の弾性部材は、ジグザグバネを有して形成され、前記第１及び第２の弾性部材の一端と前記第１及び第２の弾性部材の端とは、前記第１の弾性部材と前記第２の弾性部材とが互いに対して重畳されないよう、異なるレベルに置かれる、
機構。
【請求項１６】
円形の断面を有するまっすぐな摺動案内ロッドと、前記摺動案内ロッドが挿入及び接続されるスライダプレート側案内ロッドスルーホールと、前記摺動案内ロッドが挿入及び接続される固定プレート側案内ロッドスルーホールと、
を有する摺動案内手段を更に有し、
前記固定プレート側案内ロッドスルーホールの端部は、閉鎖される、
請求項１５記載の機構。
【請求項１７】
前記第１の弾性部材の両端部及び前記第２の弾性部材の両端部は、前記固定プレート及び前記スライダプレートに対して回転可能である、
請求項１５又は１６記載の機構。
【請求項１８】
前記第１の弾性部材の一端と前記第２の弾性部材の一端との間の距離は、前記第１の弾性部材の他端と前記第２の弾性部材の他端との間の距離より大きい、
請求項１５又は１６記載の機構。
【請求項１９】
前記第１の弾性部材の一端と前記第２の弾性部材の一端との間の距離は、前記第１の弾性部材の他端と前記第２の弾性部材の他端との間の距離より大きい、
請求項１７記載の機構。
【請求項２０】
前記固定プレート及び前記スライダプレートは、プラスチック材料を有して形成される、
請求項１５又は１６記載の機構。
【請求項２１】
前記固定プレート及び前記スライダプレートは、プラスチック材料を有して形成される、
請求項１７記載の機構。
【請求項２２】
前記固定プレート及び前記スライダプレートは、プラスチック材料を有して形成される、
請求項１８記載の機構。
【請求項２３】
前記固定プレート及び前記スライダプレートは、プラスチック材料を有して形成される、
請求項１９記載の機構。
【請求項２４】
携帯通信端末を摺動可能に開閉する機構であって、
（ａ）  第１のプレートと、
（ｂ）  前記第１のプレートから一方向において摺動されるよう接続され、１つ又はそれ以上の傾斜面を有し、転移点が、前記転移点において傾斜方向が反転される前記傾斜面の中心範囲において与えられる、第２のプレートと、
（ｃ）  前記第２のプレートの移動方向に対して垂直である方向において弾性力を生成する弾性手段と、
（ｄ）  前記弾性手段を前記第１のプレート上へと固定する接続部剤と、
（ｅ）  前記弾性手段の前記弾性力を受け、前記第２のプレートが前記第１のプレートから摺動され得るよう前記弾性力を前記傾斜面に移す、１つ又はそれ以上のスリップ部材と、
を有する、
機構。
【請求項２５】
前記傾斜面の各々は、前記第２のプレートの移動経路に対して左右対称の位置において夫々形成され、前記弾性手段、前記接続部材、及び前記スリップ部材は、２つ一組で形成される、
請求項２４記載の機構。
【請求項２６】
前記傾斜面は、
基準位置から前記第２のプレートの動く一方向において形成される第１の傾斜面と、前記第１の傾斜面の前記中心範囲において与えられ、傾斜方向が反転されるところの第１の転移点と、前記基準点から前記第１の傾斜面を有して左右対称の位置において形成される第２の傾斜面と、を有し、
第２の転移点は、前記第２の転移点において傾斜方向が反転されるところの第２の傾斜面の中心範囲において与えられる、
請求項２４記載の機構。
【請求項２７】
１つ又はそれ以上の案内ロッドは、前記第２のプレートの前記移動方向において前記第２のプレートに対して固定され、案内ホールは、前記案内ロッドが摺動可能に前記案内ホールに対して接続されるよう前記第１のプレートにおいて形成され、
前記第１のプレート及び前記第２のプレートは、前記案内ホールを有して前記案内ロッドの接続を介して互いに対して摺動可能に接続される、
請求項２４乃至２６のうちいずれか一項記載の機構。
【請求項２８】
前記弾性手段は、トーションバネを有して形成される、
請求項２４乃至２６のうちいずれか一項記載の機構。
【請求項２９】
カバーは、前記第１のプレートと組み合わされ、前記弾性手段が外れることを防ぐ、
請求項２４乃至２６のうちいずれか一項記載の機構。
【請求項３０】
前記接続部材は、リンクを有して形成され、前記弾性部材は、前記リンクを介して前記第１のプレートにおいて支持され、前記リンクの一端が前記第１のプレートにおいて軸支持されるよう、且つ、前記リンクの他端が前記弾性手段の端部において軸支持されるようにする、
請求項２４乃至２６のうちいずれか一項記載の機構。
【請求項３１】
前記スリップ部材は、ローラを有して形成され、
前記ローラは、前記リンクにおいて軸支持され、前記弾性部材の前記傾斜面上で回転する、
請求項３０記載の機構。
【請求項３２】
１つ又はそれ以上の固定溝は、前記ローラに対して所望の保持力を与えるよう、前記傾斜面の各々において形成される、
請求項３１記載の機構。
【請求項３３】
携帯通信端末を摺動可能に開閉する機構であって、
メインボディと組み合わせられるメインプレートと、サブボディと組み合わせられ且つ前記メインボディと摺動可能に組み合わせられるスライダプレートと、を有し、
前記スライダプレートは、前記スライダプレートの移動方向において形成されるスライド溝を備えられ、
前記メインプレートは、前記スライダプレートが前記メインプレートと摺動可能に接続されるよう前記スライド溝に対して摺動可能に組み合わせられるよう固定される案内ピンを備えられる、
機構。
【請求項３４】
前記第１の接続ホールは、前記メインプレートにおいて形成され、
前記案内ピンは、ボディ部分及びヘッド部分を有して構成され、
前記ボディ部分は、前記スライド溝へと摺動可能に挿入され、前記スライド溝は、挿入部分が前記第１の接続ホールと組み合わされ、且つ前記ボディ部分より小さい半径を有し、
前記ヘッド部分は、前記ボディ部分より大きい半径及び前記スライド溝より大きい直径を有して、前記スライダプレートが前記メインプレートから外れることを防がれ得るようにする、
請求項３３記載の機構。
【請求項３５】
前記スライダプレートは、前記スライダ溝の一端部において形成される拡張ホールを備えられ、前記拡張ホールを通り得るよう前記ヘッド部分より大きい直径を有し、
保持部材は、前記案内ピンが前記拡張ホールを動かすことを防ぐよう取り付けられ、前記案内ピンは、前記スライド溝へと挿入される、
請求項３４記載の機構。
【請求項３６】
第２の接続ホールは、前記スライダプレートにおいて形成され、
前記保持部材は、保持ピンを有して形成され、前記保持ピンは、前記第２の接続ホールへと押して挿入される押し挿入部分を有し、また前記スライダプレートの運動を制限するよう前記メインプレートと接触する、
請求項３５記載の機構。
【請求項３７】
前記メインプレートは、前記保持ピンが挿入されるところの所望の深さを有する凹部を備えられる、
請求項３６記載の機構。
【請求項３８】
第１のボディと、前記第１のボディから一方向において摺動可能に動く第２のボディとを有する、携帯通信端末を摺動可能に開閉する機構であって、
（ａ）  前記第１のボディに対して固定される第１のプレートと、
（ｂ）  前記第１のプレートの１つ又はそれ以上の位置に対して固定される案内ロッドと、
（ｃ）  前記案内ロッド上で摺動可能に動かされるよう前記第２のボディに対して固定される第２のプレートと、
（ｄ）  前記第２のプレートが摺動する間に生成される衝撃を吸収し、且つ、前記案内ロッドの多種の方向における振動を和らげる、ダンパーと、
を有する、
機構。
【請求項３９】
弾性手段を更に有し、
前記弾性手段は、前記第２のプレートが摺動可能に動く両端において一時的に固定されるよう前記第２のプレートを弾性的に支持するよう、また前記第２のプレートの移動経路において形成される力の転移点に対して前記第２のプレートの摺動方向において弾性力を生成し、したがって半自動的に前記第２のプレートを開閉する、
請求項３７記載の機構。
【請求項４０】
前記第１のプレートは、支持ラインを形成するよう前記案内ロッドの前記外側円周面の一側と組み合わされるよう形成される案内溝と、前記ダンパーを固定する接続部分とを有し、前記ダンパーは、前記案内溝に対して結合される前記案内ロッドを緩衝及び支持する、
請求項３８記載の機構。
【請求項４１】
前記ダンパーは、更なる弾性を与えるよう前記案内ロッドにおいて生成される振動を吸収するために、前記案内ロッドと直接接続される接続ホールを有し、緩衝及び支持するよう前記接続部分に対して固定される、
請求項４０記載の機構。
【請求項４２】
前記第２のプレートは、前記案内ロッドの露出される外側円周面に対して摺動可能に結合されるよう、前記第１のプレートに対して接続されるよう形成される案内リブを有する、
請求項３８記載の機構。
【請求項４３】
前記案内溝は及び前記案内リブは、円形の断面を有する前記案内ロッドに対して結合されるよう、半円構造を有する、
請求項４０又は４２記載の機構。
【請求項４４】
前記ダンパーは、わずかな衝撃を緩衝することができるラバー材料を有して形成される、
請求項３８記載の機構。
【発明の詳細な説明】
【技術分野】
【０００１】
本発明は、携帯通信端末を摺動可能に開閉する機構に係る。より明確には、本発明は、サブボディに対する力の初期行使が該端末を摺動可能に自動開閉することを可能にし、また、該端末が弾性部材を用いることによって端末の開放状態又は閉鎖状態を保つ、携帯端末に対する摺動機構に係る。
【背景技術】
【０００２】
近年、携帯ワイヤレス端末が急速に普及されてきているため、ユーザは、ワイヤレス通信の本来の機能に加えて、端末の開閉鎖動作において自らの好みに合った追加機能を必要としている。
【０００３】
これらのニーズに応え、携帯端末は、ストレート（バー）型、フリップ型、フリップアップ型、折畳み型、及び同種のものへと発展してきている。近年、折畳み型が最も広く使用されている。
【０００４】
これは、折畳み型の端末がディスプレイ装置としてＬＤＣモジュールを適合するよう十分なスペースを有しているためであり、また、折り畳まれた状態において保持され得るので、他の型の端末と比較して優れた携帯性を与えるためである。
【０００５】
他方では、スライド型の端末が導入されてきている。該スライド型端末は、折畳み型と同様の寸法を有するＬＣＤモジュールディスプレイ装置を備えられ得る。同時に、スライド型は、携帯端末に小型化に寄与し得る。
【０００６】
かかるスライド型端末は、カバーに対応するサブボディがメインボディ上で摺動可能に開閉されるよう構成され、その結果摺動可能な開閉の追加的な利点を与えると同時に、既存の折畳み型端末の利点を保持する。
【０００７】
例えば、韓国の実用新案出願番号２００３−００００１３６（非特許文献１）は、スライダ型の携帯ワイヤレス端末を開示する。
【０００８】
非特許文献１において開示される端末は、メインボディ上でサブボディを案内する案内手段、及び、サブボディとメインボディとの間に取り付けられる少なくとも１つの弾性手段を有し、その弾性力がサブボディの特定の摺動点に対する開放方向又は閉鎖方向において与えられ得るようにする。加えてサブボディは、完全に開閉される際、別個のストッパーを必要とせずに、弾性手段によってその開放状態又は閉鎖状態を保持し得る。弾性部材は、トーションバネを用い、その一端がメインボディに固定され、他端がサブボディに対して固定される。
【０００９】
かかる端末においては、トーションバネの一端は、メインボディに対して固定され、その他端はサブボディに固定される。故にトーションバネの弾力性は、サブボディの全移動距離にわたって与えられる。故にトーションバネは、幅の長さにわたって圧縮及び伸張される。したがって、トーションバネは、幅の長さにわたって拡張可能であるがより小さい弾性力を有するものを用いる。不十分な弾性力を補うよう、２つのトーションバネが用いられる。
【００１０】
したがって、上述された従来の開閉装置において、反復される操作がもたらす疲労によって、トーションは、広範囲において変形され且つ容易に劣化され得る。故に、トーションバネは、より短い時間内でその正常機能を失うことになる。
【００１１】
加えて、メインボディ上でサブボディを案内する案内手段として、上述された従来の開閉装置は、メインプレートの両方の横方向側部において縦方向に形成される案内スリットを備えられる。スライダプレートは、案内スリットに対して摺動可能に結合される案内リブを有する。
【００１２】
上述された端末では、案内リブは、案内スリットに沿って摺動し、故にスライダプレート及びサブボディは、メインプレート及びメインボディから開放されるよう構成される。
【００１３】
しかしながら従来の開閉装置では、案内スリットはメインプレートにおいて形成され、案内リブはスライダプレートにおいて形成される。故に、開閉装置の厚さの増大がもたらされ、したがって薄い端末を作ることが難しくなる。
【００１４】
更には、上述された従来装置では、構成部品の仕様におけるクリアランスにより、案内リブ及び案内スリットを組み立てる際に問題が発生する。メインプレート上のスライダプレートの反復される摺動動作は、振動を生成し、端末に収容される構成部品上に損傷を与え得る。摺動部は、摩耗するか、あるいは組み立てられた構成部品におけるクリアランスが発生し、その結果スライダプレートの潤滑な摺動に問題が発生する。
【非特許文献１】韓国実用新案登録出願第２００３−００００１３６号
【発明の開示】
【発明が解決しようとする課題】
【００１５】
したがって、本発明は、先行技術における上述された問題を解決するよう作られる。本発明は、携帯通信を摺動可能に開閉する機構を与えることを目的とし、当該機構において、弾性部材は、優れた弾力及び延長された寿命を有する圧縮バネを有して形成され、その結果として機構の寿命が延び、信頼性が高められる。
【００１６】
本発明は、メインプレートとスライダプレートを互いに対して摺動可能に結合するよう改善された構造を与え、その結果として携帯端末の全体の厚さを最低限に抑える、ことを他の目的とする。
【００１７】
本発明は、構成部品間のクリアランスを低減するよう携帯端末の摺動機構を改善し、その結果として潤滑な摺動運動を可能とする、ことを他の目的とする。
【課題を解決するための手段】
【００１８】
上述された目的を達成するよう、本発明の１つの態様によれば、携帯通信端末を摺動可能に開閉する機構が与えられる。当該機構は、メインプレート、メインプレートに対して摺動可能に接続されるスライダプレート、メインプレートに対して軸回転可能に固定される第１のブロック、第１のブロックに対して固定される１つ又はそれ以上の第１のロッド部材、第１のロッド部材に対して接続され且つ膨張力を生成する第１の弾性部材、スライダプレートに対して軸回転可能に固定される第２のブロック、第２のブロックに対して固定される１つ又はそれ以上の第２のロッド部材、第２のロッド部材に対して接続され且つ膨張力を生成する第２の弾性部材、及び、第１のブロックと第２のブロックとの間に置かれ、第１のロッド部材の端部が第２のブロックに向かって方向付けられ且つ第２のロッド部材の端部が第１のブロックに対して方向付けられるように第１のロッド部材及び第２の部材を有して摺動可能に接続される接続ブロック、を有する。該接続ブロックは、第１及び第２の弾性部材の端部を支持する。
【００１９】
本発明の他の態様によれば、携帯通信端末を摺動可能に開閉する機構が与えられる。当該機構は、メインプレート、メインプレートに対して摺動可能に接続されるスライダプレート、メインプレートに対して軸回転可能に固定される第１のブロック、第１のブロックに対して固定される１つ又はそれ以上の第１のロッド部材、第１のロッド部材に対して接続され且つ膨張力を生成する第１の弾性部材、スライダプレートに対して軸回転可能に固定される第２のブロック、第２のブロックに対して固定される１つ又はそれ以上の第２のロッド部材、第２のロッド部材に対して接続され且つ膨張力を生成する第２の弾性部材、及び、第１のブロックと第２のブロックとの間に置かれる接続ブロック、を有する。該接続ブロックは、摺動可能に組み合わせられるよう第１のロッド部材に対して形成される第１のスライドホール、及び、第２のロッド部材は摺動可能に組み合わされるよう第１のロッド部材の軸に対して垂直な方向において第１のスライドホールから間隔をあけられた位置において形成される第２のスライドホール、を有する。該接続ブロックは、第１及び第２の弾性部材の端部を支持する。
【００２０】
本発明の他の態様によれば、第１のボディ、及び第１のボディを摺動可能に開閉する第２のボディを有する、携帯通信端末を摺動可能に開閉する機構が与えられる。当該機構は、第１のボディに対して部分的に結合される第１のプレート、第２のプレートの後面に対して結合され且つ第１のプレートに対して摺動可能に結合される第２のプレート、第１のプレートと第２のプレートとの間に配置され、それらを互いに対して弾性的に接続する、一組の圧縮バネ、及び、第１のプレートと第２のプレートとの間で直線的且つ回転可能に圧縮バネを案内するよう圧縮バネの内部に挿入されるＵ字型リンク部材、を有する。リンク部材は、一端において開放される。第２のプレートが転移点を越えて通る瞬間に、第２のプレートは、圧縮バネの弾性力を用いて前進方向において第１のプレートに沿って加速される。
【００２１】
本発明の他の態様によれば、メインボディ、及び、メインボディに対して摺動可能に作動し得るスライダボディを有する、携帯通信端末を摺動可能に開閉する機構が与えられる。当該機構は、メインボディに対して結合される固定プレート、固定プレートに対して摺動するようにスライダボディに対して結合されるスライダプレート、一端が固定プレートにおいて支持され且つ他端がスライダプレートにおいて支持される第１の弾性部材、及び、一端が固定プレートにおいて支持され且つ他端がスライダプレートにおいて支持される第２の弾性部材を有する。第１の弾性部材及び第２の弾性部材は、ジグザグバネを有して形成され、第１及び第２の弾性部材の一端と第１及び第２の弾性部材の他端は、第１の弾性部材及び第２の弾性部材が互いに対して重畳されないよう異なるレベルに置かれる。
【００２２】
本発明の他の態様によれば、携帯通信端末を摺動可能に開閉する機構が与えられる。当該機構は、第１のプレート、第１のプレートから一方向において摺動されるよう接続され且つ１つ又はそれ以上の傾斜面を有する第２のプレート、傾斜面の中心範囲において与えられ傾斜面の傾斜方向が反転されるところの転移点、第２のプレートの移動方向に対して垂直な方向において弾性力を生成する弾性手段、第１のプレート上へと弾性手段を固定する接続部材、及び、弾性部材の弾性力を受け且つ第２のプレートが第１のプレートから摺動され得るよう傾斜面に弾性力を移す１つ又はそれ以上のスリップ部材、を有する。
【００２３】
本発明の他の態様によれば、携帯通信端末を摺動可能に開閉する機構が与えられる。当該機構は、メインボディに組み合わされるメインプレート、及び、サブボディに組み合わされ且つメインプレートに摺動可能に組み合わされるスライダプレートを有する。スライダプレートは、スライダプレートの移動方向において形成されるスライド溝を備えられ、メインプレートは、スライダプレートが摺動可能にメインプレートに接続されるようにスライド溝に対して摺動可能に組み合わされるよう固定される案内ピンを備えられる。
【００２４】
本発明の他の態様によれば、第１のボディ、及び第１のボディから一方向において摺動可能に動く第２のボディを有する、携帯通信端末を摺動可能に開閉する機構が与えられる。当該機構は、第１のボディに対して固定される第１のプレート、第１のプレートの１つ又はそれ以上の位置に対して固定される案内ロッド、案内ロッド上で摺動可能に動かされるよう第２のボディに対して固定される第２のプレート、及び、第２のプレートが摺動する間に生成される衝撃を吸収し且つ案内ロッドの多種の方向における振動を和らげるダンパー、を有する。
【００２５】
上述された通り、本発明は、携帯通信を摺動可能に開閉する機構を与える。当該機構において、弾性部材は、優れた弾性及び延ばされた寿命を有する圧縮バネを有して形成され、その結果として機構の寿命を延ばし、信頼性を改善する。
【００２６】
加えて、本発明によれば、案内ピンは、メインプレートとスライダプレートとを互いに対して摺動可能に結合するよう使用され、その結果として携帯端末の全体的な厚さを最低限に抑える。
【００２７】
更には、本発明によれば、多方向緩衝手段は、携帯端末の摺動機構の摺動構成部品において組み合わされ、その結果として、摺動動作の悪影響を低減して潤滑な摺動運動を可能にする。
【発明を実施するための最良の形態】
【００２８】
本発明の更なる目的及び利点は、添付の図面を参照して以下の詳細な説明からより十分に理解され得る。
【００２９】
本発明の望ましい実施例は、添付の図面を参照して今後説明される。
【００３０】
図１は、本発明の第１の実施例に従った携帯通信端末の分解斜視図である。図２は、図１中の携帯通信端末を摺動可能に開閉する機構の横断方向断面図であり、図３は、図２中の垂直方向断面図を示す。
【００３１】
携帯通信端末は、メインボディ１１００及びサブボディ１１２０を有する。キーパッドは、メインボディの表面上に取り付けられ、メインボディの内部において多種の機能を遂行するメインボードが収容される。液晶ディスプレイウィンドウは、サブボディ１１２０において取り付けられる。サブボディ１１２０及びメインボディ１１００は、可撓性のプリント基板を介して互いに対して電気的に接続される。
【００３２】
サブボディ１１２０及びメインボディ１１００を互いに対して開閉する摺動機構は、メインボディ１１００に対して固定されるメインプレート１１３０、サブボディ１１２０に対して固定され且つメインプレート１１３０に対して摺動可能に結合されるスライダプレート１１５０、メインプレート１１３０に対して軸回転可能に固定される第１のブロック、第１のブロックに対して固定される１つ又はそれ以上の第１のロッド部材１１７０、第１のロッド部材１１７０に対して結合され膨張力を生成する第１の弾性部材１１７２、スライダプレート１１５０に対して軸回転可能に固定される第２のブロック１１８０、第２のブロック１１８０に対して固定される１つ又はそれ以上のロッド部材１１９０、第２のロッド部材１１９０に対して結合され且つ膨張力を生成する第２の弾性部材１２００、及び、第１のブロック１１６０と第２のブロック１１８０との間に置かれ、また、第１のロッド部材１１７０の端部が第２のブロック１１８０に向かって方向付けられ且つ第２のロッド部材１１９０の端部が第１のブロック１１６０に向かって方向付けられるよう第１及び第２のロッド部材と接続される接続ブロック１２１０、を有する。接続ブロック１２１０は、第１の弾性部材１１７２及び第２の弾性部材１２００の端部を夫々支持する。
【００３３】
第１の弾性部材１１７２及び第２の弾性部材１２００の膨張力は、第１のブロック１１６０及び第２のブロック１１８０上に与えられる。第１のブロック１１６０及び第２のブロック１１８０は、スライダプレート１１５０が移動する間のある時点において、スライダプレート１１５０が閉められる際は閉鎖方向で、開放される際は開放方向で弾性的にバイアスをかけられるよう、ある位置において取り付けられる。
【００３４】
１つ又はそれ以上の案内軸１１５２は、スライダプレート１１５０に対して接続される。メインプレート１１３０は、スライダプレート１１５０の移動経路を案内する案内軸１１５２と摺動可能に結合されるよう形成される案内ホール１１３２を備えられる。
【００３５】
第１の回転ホール１１６２は、第１の回転ホール１１６２及びそこに挿入される第１の回転軸１１６４を用いてメインプレート１１３０に対して回転可能に接続される第１のブロック１１６０において形成される。加えて、第２のブロック１１８０は、第２の回転ホール１１８２を備えられ、第２の回転ホール及びそこに結合される第２の回転軸１１８４を用いてスライダプレート１１５０に対して回転可能に接続される。
【００３６】
加えて、接続ブロック１２１０は、第１のロッド部材及び第２のロッド部材に対して夫々摺動可能に結合されるよう形成される第１の摺動ホール１２１２及び第２の摺動ホール１２１４を備えられる。
【００３７】
他方では、第１及び第２の弾性部材１１７２及び１２００は、圧縮バネを有して形成される。
【００３８】
開放方向におけるスライダプレート１１５０の移動距離は、閉鎖方向における距離より短いよう構成される。
【００３９】
故に、サブボディ１１２０が開放される際、サブボディ１１２０の押し距離は、閉鎖される際より短く、サブボディ１１２０は容易に開放され得る。
【００４０】
以下に、第１の実施例の動作が説明される。
【００４１】
まず、図２及び図３中に示される通り通信端末が閉じられている際、ＬＣＤウィンドウが取り付けられているサブボディ１１２０は、それを閉めるようメインボディ１１００と重畳される。この時点では、サブボディ１１２０に対して結合されるスライダプレート１１５０は、第２の弾性部材１２００の弾力性によってもたらされた第２のブロック１１８０の押す力により、閉鎖状態のままである。
【００４２】
この状態において、サブボディ１１２０が通信端末を開放するよう手で押される際、サブボディ１１２０は、スライダプレート１１５０と共に摺動する。この時点では、メインボディ１１００において形成される案内ホールは、スライダプレート１１５０の案内軸１１５２を案内し、スライダプレート１１５０は、直線運動を適切に行い得る。
【００４３】
このようにして、スライダプレート１１５０が図４中に示す通り開放されると同時に、スライダプレート１１５０は、第２のブロック１１８０を押し、続いて第２の弾性部材１２００を押圧して回転する。加えて、第２のロッド部材１１９０は、接続ブロック１２１０において形成される第２の摺動ホール１２１４を介して第１のブロック１１６０に向かって部分的に動かされ、第２のロッド部材１１９０の回転半径を低減してスライダプレート１１５０の摺動運動を可能にするようにする。更には、この手順の間、第２の弾性部材１２００は、接続ブロック１２１０を第１のブロック１１６０に向かって押す。故に、第１の弾性部材１１７２は押圧され、第１のロッド部材１１７０が接続ブロック１２１０の第１の摺動ホール１２１２を介して第２のブロック１１８０に向かって部分的に動かされる。
【００４４】
サブボディ１１２０を開放するために、力は、初期状態においてサブボディ１１２０を押すように与えられなければならない。しかしながら、第１及び第２のブロックが互いに対して最も近づく転移点を通過後、スライダプレート１１５０は、第１及び第２の弾性部材１１７２及び１２００の弾力性によって開放方向においてバイアスをかけられる。故に、この点から先は、スライダプレート１１５０は、スライダプレート１１５０に対していかなる力も与えることなく自動的に開放状態まで動かされる。
【００４５】
図５は、本発明の摺動機構の開放状態を示す横断方向断面図であり、図６は、図５の垂直方向断面図である。
【００４６】
サブボディが完全に開放される場合、スライダプレート１１５０は、第１及び第２の弾性部材１１７２及び１２００によってもたらされる第２のブロック１１８０の押し力により、開放状態において保持される。
【００４７】
サブボディ１１２０が開放される場合、ＬＣＤウィンドウは、メインボディ１１００のキーパッドを開放し、ユーザが通信端末の本来の機能を使用し得る。
【００４８】
他方では、開放状態からサブボディを閉鎖するために、ユーザは、サブボディ１１２０を開放される際に対して対向する方向において押す。閉鎖動作は、開放動作の対向するオーダにおいて実行される。
【００４９】
図７は、本発明の第２の実施例に従った携帯通信端末の分解斜視図である。図８は、図７中の端末を開閉する摺動機構の横断方向断面図である。図９は、図８の垂直方向断面図である。
【００５０】
第２の実施例に従った携帯通信端末は、メインボディ２１００及びサブボディ１１２０を有する。キーパッドは、メインボディの表面上に取り付けられ、該メインボディの内部には多種の機能を行うメインボディが収容される。液晶ディスプレイウィンドウ２１２２は、サブボディ２１２０において取り付けられる。サブボディ２１２０及びメインボディ２１００は、可撓性のあるプリント基板を介して互いに対して電気的に接続される。
【００５１】
サブボディ２１２０及びメインボディ２１００を互いに対して開閉する摺動機構は、メインボディ２１００に対して固定されるメインプレート２１３０、第１のブロックに対して固定される１つ又はそれ以上の第１のロッド部材２１７０、第１のロッド部材２１７０に対して結合され且つ膨張力を生成する第１の弾性部材２１７２、スライダプレート２１５０に対して軸回転可能に固定される第２のブロック２１８０、第２のブロック２１８０に対して固定される１つ又はそれ以上の第２のロッド部材２１９０、第２のロッド部材２１９０に対して結合され且つ膨張力を生成する第２の弾性部材２２００、及び、第１のブロック２１６０と第２のブロック２１８０との間に置かれる接続ブロック２２１０、を有する。接続ブロック２２１０は、摺動可能に挿入される第１のロッド部材２１７０に対して形成される第１の摺動ホール２２１２、及び、摺動可能に挿入される第２のロッド部材２１９０に対して形成される第２の摺動ホール２２１４を備えられる。第２の摺動ホールは、第１のロッド部材２１７０の軸に対して垂直である方向における第１の摺動ホール２２１２から間隔をあけられた位置において形成される。接続ブロック２２１０は、第１の弾性部材２１７２及び第２の弾性部材２２００の端部を夫々支持する。
【００５２】
第１の弾性部材２１７２及び第２の弾性部材２２００の膨張力は、第１のブロック２１６０及び第２のブロック２１８０上に与えられる。第１のブロック２１６０及び第２のブロック２１８０は、スライダプレート２１５０が移動する間のある時点において、スライダプレート２１５０が閉められる際は閉鎖方向で、開放される際は開放方向で弾性的にバイアスをかけられるよう、ある位置において取り付けられる。
【００５３】
第１のロッド部材２１７０は２つ一組で形成され、第１の摺動ホール２２１２も２つ一組で形成される。第１のロッド部材２１７０の組は、第１の摺動ホール２２１２を介して通り、続いてU字型を形成するよう互いに対して接続される。
【００５４】
同様に、第２のロッド部材２１９０は２つ一組で形成され、第２の摺動ホール２２１４も２つ一組で形成される。第２のロッド部材２１９０の組は、第２の摺動ホール２２１４を介して通り、続いてU字型を形成するよう互いに対して接続される。
【００５５】
上述された通り、第１のロッド部材２１７０及び第２のロッド部材２１９０は、U字型を有し、故に、第１及び第２のロッド部材が接続ブロック２２１０から外れることを防ぐ。
【００５６】
１つ又はそれ以上の案内軸２１５２は、スライダプレート２１５０に対して接続される。メインプレート２１３０は、スライダプレート２１５０の移動経路を案内する案内軸２１５２と摺動可能に結合されるよう形成される案内ホール２１３２を備えられる。
【００５７】
第１の回転ホール２１６２は、第１の回転ホール２１６２及びそこに挿入される第１の回転軸２１６４を用いてメインプレート２１３０に対して回転可能に接続される第１のブロック２１６０において形成される。加えて、第２のブロック２１８０は、第２の回転ホール２１８２を備えられ、第２の回転ホール２１８２及びそこに結合される第２の回転軸２１８４を用いてスライダプレート２１５０に対して回転可能に接続される。
【００５８】
加えて、接続ブロック２２１０は、第１のロッド部材２１７０及び第２のロッド部材２１９０に対して夫々摺動可能に結合されるよう形成される第１の摺動ホール２２１２及び第２の摺動ホール２２１４を備えられる。
【００５９】
他方では、第１及び第２の弾性部材２１７２及び２２００は、圧縮バネを有して形成される。
【００６０】
開放方向におけるスライダプレート２１５０の移動距離は、閉鎖方向における距離より短いよう構成される。
【００６１】
故に、サブボディ２１２０が開放される際、サブボディ２１２０の押し距離は、閉鎖される際より短く、サブボディ２１２０は容易に開放され得る。
【００６２】
以下に、この実施例の動作が説明される。
【００６３】
まず、図８及び図９中に示される通り通信端末が閉じられている際、ＬＣＤウィンドウが取り付けられているサブボディ２１２０は、それを閉めるようメインボディ２１００と重畳される。この時点では、サブボディ２１２０に対して結合されるスライダプレート２１５０は、第２の弾性部材２２００の弾力性によってもたらされた第２のブロック２１８０の押す力により、閉鎖状態のままである。
【００６４】
この状態において、サブボディ２１２０が通信端末を開放するよう手で押される際、サブボディ２１２０は、スライダプレート２１５０と共に摺動する。この時点では、メインボディ１１００において形成される案内ホールは、スライダプレート１１５０の案内軸１１５２を案内し、スライダプレート１１５０は、直線運動を潤滑に行い得る。
【００６５】
このようにしてスライダプレート２１５０が図１０中に示される通り開放されると同時に、スライダプレート２１５０は、第２のブロック２１８０を押し、続いて第２の弾性部材２２００を押圧して回転する。加えて、第２のロッド部材２１９０は、接続ブロック１２１０において形成される第２の摺動ホール２２１４を介して第１のブロック２１６０に向かって部分的に動かされ、第２のロッド部材２１９０の回転半径を低減してスライダプレート２１５０の摺動運動を可能にする。更には、この手順の間、第２の弾性部材２２００は、接続ブロック２２１０を第１のブロック２１６０に向かって押す。故に、第１の弾性部材２１７２は押圧され、第１のロッド部材２１７０が接続ブロック２２１０の第１の摺動ホール２２１２を介して第２のブロック２１８０に向かって部分的に動かされる。
【００６６】
サブボディ２１２０を開放するために、力は、初期状態においてサブボディ２１２０を押すように与えられなければならない。しかしながら、第１及び第２のブロックが互いに対して最も近づく転移点を通過後、スライダプレート２１５０は、第１及び第２の弾性部材２１７２及び２２００の弾力性によって開放方向においてバイアスをかけられる。故に、この点から先は、スライダプレート２１５０は、スライダプレート２１５０に対していかなる力も与えることなく自動的に開放状態まで動かされる。
【００６７】
図１１は、本発明の摺動機構の開放状態を示す横断方向断面図であり、図１２は、図１１の垂直方向断面図である。
【００６８】
サブボディが完全に開放される場合、スライダプレート２１５０は、第１及び第２の弾性部材２１７２及び２２００によってもたらされる第２のブロック２１８０の押し力により、開放状態において保持される。
【００６９】
サブボディ２１２０が開放される場合、ＬＣＤウィンドウは、メインボディ２１００のキーパッドを開放し、ユーザが通信端末の本来の機能を使用し得る。
【００７０】
他方では、開放状態からサブボディを閉鎖するために、ユーザは、サブボディ２１２０を開かれる際に対して対向する方向において押す。サブボディ２１２０の閉鎖動作は、開放動作の対向するオーダにおいて実行される。
【００７１】
以下において、本発明の第３の実施例は、添付の図面を参照して詳細に説明される。
【００７２】
携帯通信端末を構成する第１のボディは、その表面上にキーパッドを有し、その内部に多種の機能を実行するメインボードを収容する。第２のボディは、その上に取り付けられたＬＣＤウィンドウを有する。第２のボディ及び第１のボディは、可撓性のプリント基板を介して電気的に相互接続される。
【００７３】
図１３は、本発明の第３の実施例に従った通信端末を摺動可能に開閉する機構の分解斜視図である。図１４は、図１３中の摺動機構の組み立てられた状態を示す。
【００７４】
図１３及び図１４を参照すると、第１のプレート３１１０は第１のボディと組み合わされ、第２のプレート３１２０は、第２のボディと組み合わされ且つ第１のプレート３１１０に対して摺動可能に接続される。
【００７５】
この目的に対して、案内軸３１２１は、第２のプレート３１２０に対して固定され、案内ホール３１１１は、案内軸３１２１が摺動可能に接続され得るよう第１のプレート３１１０の横方向端部において形成される。
【００７６】
案内軸３１２１は、第２のプレート３１２０の両端部を介して挿入され、複数のナット３１２２は、第２のプレート３１２０の端部に対して固定されて案内軸３１２１が抜けないようにする。
【００７７】
この時点では、案内軸３１２１は、第２のプレート３１２０の一端を介して挿入され、第２のプレート３１２０の他端を介して半分挿入される。案内軸３１２１が完全に挿入される第２のプレート３１２０の端部は、接合され得る。
【００７８】
第１のプレート３１１０及び第２のプレート３１２０は、所望の位置において形成される第１のスルーホール３１１２及び第２のスルーホール３１２３を備えられる。第１のプレート３１１０及び第２のプレート３１２０は、プラスチック材料等の合成樹脂材料を有して形成され得る。
【００７９】
第１のブロック３１３０は、中空の矩形ブロックの形状を有し、その１つの面は完全に開放され、他の対向する面は、その両端部において部分的に開放されている。第１のブロック３１３０の部分的に開放された端部は、一定の所望の度において傾斜され得る。第２のブロック３１３０の他の対抗する面は、夫々互いに対して同一である第３のスルーホール３１３１を形成される。
【００８０】
第１の結合ピン３１４０は、第１のプレート３１１０に対して第１のブロック３１３０を回転可能に固定するよう第３のスルーホール３１３１へと挿入される。
【００８１】
Ｕ字型の薄いロッド部材を有して形成されるリンク部材３１５０は、完全に開放されている部分から第１のブロック３１３０の部分的に開放されている両端へと挿入され、その結果第１の結合ピン３１４０を用いて回転可能に固定される。
【００８２】
圧縮バネ３１６０は、リンク部材３１５０のロッド部へとその開放端部を介して挿入される。圧縮バネ３１６０は、一組のコイルバネを有して形成され、該コイルバネはリンク部材３１５０の厚さに対応する直径を有する。圧縮バネ３１６０は、内部に挿入されたリンク部材３１５０を有して、圧縮され、また引っ張られる。リンク部材３１５０及び圧縮バネ３１６０は、モジュール化された形状へと組み合わされ得、リンク部材３１５０に対する可能な衝撃によるリンク部材３１５０の変形を最小限に抑え得、且つ、不注意に分解されることを防ぐよう改善された耐久性を与える。
【００８３】
第１のブロック３１３０と同様に、第２のブロック３１７０は、中空のブロックの形状を有し、その１つの面は完全に開放され、他の対向する面はその両端部において部分的に開放されている。第２のブロック３１７０の部分的に開放端部は、一定の所望の度において傾斜され得る。第２のブロック３１７０の他の対向する面の中心には、夫々互いに対して同一である第４のスルーホール３１７１を形成される。
【００８４】
第２の結合ピン３１８０は、第４のスルーホール３１７１へと挿入され、第２のプレート３１２０に対して第２のブロック３１７０を回転可能に固定する。
【００８５】
リンク部材３１５０の閉端部は、第２のブロック３１７０の部分的に開放されている端部へと挿入され、したがって該ブロックはリンク部材３１５０の長手方向において動かされ得る際に、リンク部材３１５０から外れることはない。したがって、リンク部材３１５０の閉端部は、第２のブロック３１７０及び圧縮バネ３１６０の移動距離を制限し、その結果、別個のストッパーを与える必要なくストッパーとして働く。
【００８６】
図１５乃至図１７は、図１３中の摺動機構の閉鎖状態、部分的な開放状態、及び完全な開放状態を夫々図示する。
【００８７】
図１５乃至図１７を参照して、本発明の第３の実施例に従った機構の動作は、以下に説明される。
【００８８】
第１のプレート３１１０は、端末の第１のボディ３１０１の前面の上方部分に対して取り付けられ、第２のプレート３１２０は、第２のボディ３１０２の後面の全体にわたって取り付けられる。したがって図１５中に示される通り、第２のボディ３１０２が第１のボディ３１０１によって閉鎖される際、第１のプレート３１１０は、第２のプレート３１２０の上方部分に置かれる。ＬＣＤウィンドウが取り付けられる第２のボディ３１０２は、第１のボディ３１０１に重畳される。
【００８９】
この時点では、リンク部材３１５０の閉端部は、第２のプレート３１２０の中心部分に置かれ、その開放端部は、第２のプレート３１２０上に固定される。故に、第２のブロック３１７０は、圧縮バネ３１６０の弾力性によりバイアスをかけられ、第２のプレート３１２０はその閉鎖状態を保持する。
【００９０】
第２のブロック３１７０及び圧縮バネ３１６０の移動距離は、リンク部材３１５０の閉端部３１５１によって制限される。故に、第２のブロック３１７０及び圧縮バネ３１６０の移動は、別個のストッパーを必要とせずに停止され得る。
【００９１】
この状態において、第２のボディ３１０２が通信端末を開放するようハングを使用して（ｕｓｉｎｇ  ａ  ｈａｎｇ）押される際、第２のブロック３１０２は、第２のプレート３１０２と共に上にスライドされる。この時点では、第２のプレート３１２０の両端に配置される案内軸３１２１が第１のプレートの両端において形成される案内ホール３１１１と組み合わされるため、第２のプレート３１２０は、第１のプレート３１１０上で潤滑な直線運動を実行し得る。
【００９２】
第２のプレート３１２０が開き始める場合、第２のプレート３１２０は、第２のプレート３１２０に対して回転可能に固定される第２のブロック３１７０を押し、リンク部材３１５０に対して可動に接続される第２のブロック３１７０は、リンク部材３１５０を用いて直線運動を実行し、第１のブロック３１３０及び第２のブロック３１７０は、互いに対して近づく。故に、第２のブロック３１７０は、リンク部材３１５０上で内部に動かされ、圧縮バネ３１６０は、その弾性力を増大するよう押圧される。したがって、このバネ力は、第２のプレート３１２０及び第２のボディ３１０２が開放されることを妨害する力としての役割を果たす。
【００９３】
図４に示される通り、第２のプレート３１２０が妨害する力を克服し動き続けて、部分的に開放される且つ圧縮バネ３１６０の転移点を通る際、圧縮バネ３１６０のバネ力は、第２のブロック３１７０上に与えられ、第２のプレート３１２０が上がり得る。したがって、第２のプレート３１２０は、第２のボディ３１０２と第２のプレート３１２０に追加的な力を与えることなく、開放状態まで自動的に上がる。
【００９４】
この時点では、第２のブロック３１７０が転移点において正確に置かれ且つ第２のプレート３１２０が上方向及び下方向のいずれにも押されない場合、第２のプレート３１２０は、上方向又は上方向に動くことなく、圧縮バネ３１６０の弾力により停止される。故に、第２のプレート３１２０は、別個のストッパーを必要とすることなく、第１のプレート３１１０上で停止され得る。
【００９５】
望ましくは、閉鎖状態と転移点との間の第２のプレート３１２０の移動距離は、転移点と開放状態との間のそれより短い。故に、距離におけるこの差異により、第２のプレート３１２０は、閉鎖状態から転移点までより弱い力を動かし得、したがって第２のプレート３１２０と第２のボディ３１０２をより容易に開放することができる。
【００９６】
図１７中に図示する通り、第２のボディ３１０２が完全に開放されると、第２のプレート３１２０は、圧縮バネ３１６０の弾性力によってもたらされる第２のブロック３１７０の押す力により、開放状態を保持する。この時点では、リンク部材３１５０の閉端部は、第２のブロック３１７０及び圧縮バネ３１６０の移動距離を制限し、したがって別個のストッパーを必要とせずに停止され得る。
【００９７】
第２のボディ３１０２が開放される際、第１のボディ３１０１中に取り付けられるキーパッドが露出され、ユーザは、通信端末の本来の機能を使用することができる。
【００９８】
他端では、端末を開放状態から閉鎖するよう、ユーザは、自身の手を使って開放動作に対して対向する方向において第２のボディ３１０２を押す。第２のボディ３１０２の閉鎖動作は、開放の手順と逆のオーダにおいて実行される。この時点において、ユーザが第２のプレート３１２０を開放状態から転移点まで動かすよう押す場合、第２のプレート３１２０は、転移点を越えて自動的に閉じられ得る。
【００９９】
加えて、第２のボディ３１０２がその閉鎖位置に至る際、第２のプレート３１２０は、圧縮バネ３１６０の弾性力によってもたらされる第２のブロック３１７０の押す力により、閉鎖位置においてとどまり得る。
【０１００】
以下では、本発明の第４の実施例は、添付の図面を参照して詳細に説明される。
【０１０１】
まず、図１８を参照すると、本発明のこの実施例に従った携帯端末の摺動機構は、望ましくはプラスチック材料を有して作られる固定プレート４１２０、望ましくはプラスチック材料を有して作られるスライダプレート４１１０、固定プレート４１２０とスライダプレート４１１０との間に配置されるジグザグバネ４１３４Ａ，４１３４Ｂ、及び、固定プレート４１２０に対してスライダプレート４１１０の摺動運動を案内する摺動案内手段４１１４Ａ，４１１４Ｂ，４１２４Ａ，４１２４Ｂ，４１２４Ａ’，４１２４Ｂ’，４１３４Ａ，及び４１３４Ｂ、を有する。
【０１０２】
固定プレート４１２０は、クルー（ｃｒｅｗ）接続及び溶接等の多種の既知である方法を使用してメインボディ（図示せず）と組み合わされる。スライダプレート４１１０は、クルー接続及び溶接等の多種の方法を介してスライダボディ（図示せず）に対して結合される。図示される通り、固定プレート４１２０及びスライダプレート４１１０は、摺動案内手段４１１４Ａ，４１１４Ｂ，４１２４Ａ，４１２４Ｂ，４１２４Ａ’，４１２４Ｂ’，４１３４Ａ，及び４１３４Ｂ、を介して互いに対して摺動可能に接続される。接続方法は、図１８において（点線で）示され、当業者が容易に固定プレート４１２０をスライダプレート４１１０と組み合わせ得ることが留意されるべきであり、図１９の斜視図が参照される。摺動案内手段は、案内ロッド側固定プレートに対するスルーホール４１２４Ａ，４１２４Ｂ，４１２４Ａ’及び４１２４Ｂ’、スライダプレート側案内ロッドに対するスルーホール４１１４Ａ及び４１１４Ｂ、及び、スルーホールへと摺動可能に挿入されるべき摺動案内ロッド４１３４Ａ及び４１３４Ｂを有する。固定プレート側案内ロッドに対するスルーホール４１２４Ａ，４１２４Ｂ，４１２４Ａ’，及び４１２４Ｂ’、スライダプレート側案内ロッドに対するスルーホール４１１４Ａ及び４１１４Ｂ、及び、摺動案内ロッド４１３４Ａ及び４１３４Ｂは、図１８及び他の図中において円形の断面を有して図示されるが、それらは、摺動可能である限り、例えば三角形又は矩形の断面である他の形状の断面を有してよい。図１９及び他の図中示されていないが、固定プレート側案内ロッド４１２４Ａ及び４１２４Ｂが案内ロッド４１３４Ａ及び４１３４Ｂを固定するよう閉鎖される、ことは理解されるべきである。
【０１０３】
上述された摺動機構４１００は、固定プレート４１２０に対してスライダプレート４１１０の摺動を調整するよう、例えば第１の弾性部材（図中左手側）及び第２の弾性部材（図中右手側）である１つ又はそれ以上の弾性部材を有する。第１の弾性部材４１４２Ａの一端は、固定プレート４１２０によって支持され、その他端は、スライダプレート４１１０によって支持される。同様に、第２の弾性部材４１４２Ｂの一端は、固定プレート４１２０によって支持され、その他端は、スライダプレート４１１０によって支持される。しかしながら、第１の弾性部材４１４２Ａの一端及び第２の弾性部材４１４２Ｂの一端は、異なるレベルに置かれ、第１の弾性部材４１４２Ａの他端及び第２の弾性部材４１４２Ｂの他端は、互いに対して重畳されないよう異なるレベルにおいてめっきされる。加えて、第１の弾性部材４１４２Ａの両端及び第２の弾性部材４１４２Ｂの両端は、４１１１Ａ，４１２２Ｂ，４１１２Ａ、及び４１１２Ｂにおいて固定プレート４１４２及びスライダプレート４１１０に対して回転可能に接続される。本願中の「レベル」という語は、上述された通りに理解されるべきである。本発明の望ましい実施例では、第１の弾性部材４１４２Ａ及び第２の弾性部材４１４２Ｂは、ジグザグバネを有する。第１の弾性部材４１４２Ａの一端と第２の弾性部材４１４２Ｂの一端との間の距離は、力の集中に関して第１の弾性部材４１４２Ａの他端と第２の弾性部材４１４２Ｂの他端との間の距離より大きいことが望ましい。
【０１０４】
図１９乃至図２１は、携帯端末が閉じられている際の摺動機構を図示する（夫々、斜視図、正面図、及び側面図）。図１９乃至図２１を参照すると、上述される通り、第１の弾性部材４１４２Ａの一端は、固定プレート４１２０において支持され、その他端は、スライダプレート４１１０において支持される。転移点（参照符号Ｓは、参照符号ｄの半分）において、第１の弾性部材４１４２Ａは、スライダプレート４１１０を閉鎖する方向、及びスライダプレート４１１０の移動方向に対して垂直である横方向（第１の横方向）において弾性力を与える。転移点Ｓにおいて、スライダプレート４１１０がその開放位置に近い際、第１の弾性部材は、スライダプレート４１１０を開放する方向、即ち第１の横方向において弾性力を与える。上述された通り、第２の弾性部材４１２１Ｂの一端は、固定プレート４１４２において支持され、その他端は、スライダプレート４１１０において支持される。転移点Ｓにおいて、スライダプレート４１１０がその閉鎖位置に近い際、第２の弾性部材４１４２Ｂは、スライダプレート４１１０の閉鎖方向、及び第１の横方向に対して対向する方向である方向（第２の横方向）において弾性力を与える。スライダプレート４１１０がその開放方向に近い際、第２の弾性部材は、スライダプレート４１１０の開放方向及び第２の横方向において弾性力を与える。即ち、第１の弾性部材４１４２Ａ及び第２の弾性部材４１４２Ｂは、スライダプレート４１１０の移動方向に対して異なる横方向において弾性力を与えるよう構成される。これは、単一の弾性部材が使用される場合、又は２つの弾性部材が同一の横方向において弾性力を生成する場合、スライダプレート４１１０は、優先的に固定プレート４１２０上に力を与える。したがって、摺動案内ロッド４１４３Ａ及び４１４３Ｂ、スライダプレート側案内ロッドスルーホール４１１４Ａ及び４１１４Ｂ、並びに、固定プレート側案内ロッドスルーホール４１２４Ａ，４１２４Ｂ，４１２４Ａ’、及び４１２４Ｂ’は、短期間で損傷又は摩耗され得る。この実施例では、第１の弾性部材４１４２Ａ及び第２の弾性部材４１４２Ｂの転移点は、互いに対して位置を合わせられ、したがってスライダプレート４１１０の潤滑な作動が可能となる。
【０１０５】
図２２乃至図２４は、携帯端末が完全に開放される際の実施例の摺動機構を示す（夫々、斜視図、正面図、及び側面図）。摺動機構の開放動作は、上述された閉鎖動作に対して逆のオーダにおいて実行されるため、詳細はここでは説明されない。
【０１０６】
この実施例では、第１の弾性部材４１４２Ａ及び第２の弾性部材４１４２Ｂは、上述される通りジグザグバネを用いる。このバネは、薄型の携帯端末を可能にする。より特には、固定プレート４１２０とスライダプレート４１１０との間の空間Ｄ（図１８）は、バネによって閉められる空間によって決定されるが、本実施例ではバネを形成するワイヤの直径によって決定される。トーションバネがジグザグバネの代わりに使用される場合、空間は、ワイヤの直径の２倍でなければならない。更には、この場合、摺動機構における差異力は、トーションバネの角度調整に依存され、故に携帯端末のメインボディとスライダボディとの間の力の調整（制御）は困難となる。即ち、衝撃は、携帯端末上にもたらされ得る。別個の衝撃吸収材又は衝撃緩衝手段が無いと、必然的に携帯端末はその寿命を短縮する。加えて、圧縮バネがジグザグバネの代わりに使用される場合、巻かれた（ｗｏｕｎｄ）圧縮バネの内部空間に対応し且つバネワイヤの直径の２倍である空間が求められる。しかしながらこの実施例では、弾性部材、即ちジグザグバネは、トーションバネ及び圧縮バネと関連付けられた上述の問題を防ぎ得る。あるいは、上述されたジグザグバネは、第１の弾性部材４１４２Ａの両端及び第２の弾性部材４１４２Ｂの両端が互いに対して重畳されないよう異なるレベルに置かれるため、活用され得る。
【０１０７】
以下には、本発明の第５の実施例が説明される。
【０１０８】
図２５は、本発明の第５の実施例に従った携帯通信端末を摺動可能に開閉する機構の分解斜視図である。図２６は、図２５中の摺動機構の組み立てられた状態を示す。図２８は、本発明の第５の実施例に従った摺動機構の閉鎖状態を示す。
【０１０９】
携帯端末を構成するメインボディ５０１０は、その上面の下方端部において取り付けられたキーパッド５０１２を有し、多種の機能を実行するメインボードを収容する。加えて、液晶ウィンドウ５０２２は、ディスプレイ５０２０において取り付けられ、ディスプレイ５０２０及びメインボディ５０１０は、可撓性のあるプリント基板を介して互いに対して電気的に接続される。
【０１１０】
携帯端末のメインボディからスライダボディを開閉する摺動機構は、メインボディ５０１０と組み合わされる第１のプレート５１００、第１のプレート５１００から一方向において摺動されるようディスプレイ５０２０に対して結合され、且つ傾斜方向が反転されるところの中心における転移点５１３２を有する１つ又はそれ以上の傾斜面５１３０、第２のプレート５１２０の移動方向に対して垂直である方向において弾性力を生成する弾性手段、弾性手段を第１のプレート５１００に対して固定する接続手段、及び、弾性手段から弾性力を受け且つそれを傾斜面５１３０に移し、第２のプレート５１２０が第１のプレート５１００から摺動され得るようにする１つ又はそれ以上のスリップ部材、を有する。
【０１１１】
傾斜面５１３０は、第２のプレート５１２０において形成され、各々がその左右対称の点の両側に置かれ、両傾斜面５１３０の距離が転移点から最低限に抑えられるようにする。
【０１１２】
加えて、弾性部材、接続部材、及びスリップ部材は、左右対称の位置において２つ一組で形成される。
【０１１３】
１つ又はそれ以上の案内ロッド５１５０は、その移動方向において第２のプレート５１２０に対して固定される。第１のプレート５１００は、案内ロッド５１５０が摺動可能に結合され得るよう形成された案内ホール５１０２を有する。故に、第１のプレート５１００及び第２のプレート５１２０は、案内ロッド５１５０の案内ホール５１０２との接続を用いて互いに対して摺動可能に接続される。
【０１１４】
第２のプレート５１２０の両端部では、案内ロッド５０５０が挿入される接続ホール５１２２が形成され、案内ロッド５１５０の両端部は接続ホール５１２２に対して結合される。
【０１１５】
弾性手段は、トーションバネ５１６０を有して形成される。
【０１１６】
接続部材は、１つ又はそれ以上のリンク５１７０を有して形成される。該リンクによって、弾性手段は、リンクの一端が第１のプレート５１００において軸支持され、且つその他端が弾性部材の端部において軸支持されるよう、第１のプレート５１００において支持される。各リンク５１７０は、第１の中心軸５１８０を用いて第１のプレート５１００において回転可能に取り付けられる第１の中心軸５１８０は、回転の中心線５１７０を構成する。
【０１１７】
トーションバネ５１６０を取り付けるよう、トーションバネ５１６０の各端部は、フック５１６２を形成するよう曲げられ、各リンク５１７０は、フック５１６２を係合するよう突起５１７２を有する。各突起５１７２は、夫々フック５１６２と係合し、トーションバネ５１６０の各端部がリンク５１７０に対して回転可能に結合されるようにする。
【０１１８】
スリップ部材は、ローラ５１９０を有して形成される。該ローラは、リンク５１７０において支持され、弾性部材の傾斜面５１３０においてロールする。ローラ５１９０は、第２の中心軸５１９２を介してリンク５１７０において回転可能に取り付けられる。ローラ５１９０は、摩擦力を最低限に抑えるよう傾斜面５１３０においてロールする。
【０１１９】
ローラ５１９０が転移点５１３２に対して傾斜面５１３０の閉鎖位置に置かれる際、ローラ５１９０は、閉鎖方向において第２のプレート５１２０に対して力を与える。ローラ５１９０が傾斜面５１３０の開放位置に置かれる際、ローラ５１９０は、開放方向において第２のプレート５１２０に対して力を与える。
【０１２０】
保持力を生成するよう、第２のプレート５１２０がその閉鎖位置及び開放位置に置かれる際、半円形を有する第１の固定溝５１４０及び第２の固定溝５１４２は、各傾斜面５１３０の両端部において形成される。
【０１２１】
上述される通り、携帯端末は、ディスプレイ５０２０がメインボディ５０１０のメインボードにおいて開放される際に、液晶ウィンドウがオンになるよう設定され、ディスプレイ５０２０がメインボディ５０１０において閉鎖される際は、液晶ウィンドウ５０２２はオフにされる。
【０１２２】
以下において、この実施例の動作が説明される。
【０１２３】
図２７は、第２のプレートが閉じられた図２６中の摺動機構の平面図である。図２９は、第２のプレートが開放位置まで動かされている図２６中の摺動機構の平面図である。図３０は、第２のプレートが開放位置まで動かされた図２６中の摺動機構の平面図である。図３１は、図２８中の携帯端末の開放状態を示す斜視図である。
【０１２４】
まず、図２７中に示す通り、携帯端末が閉じられている際、ディスプレイ５０２０に対して結合される第２のプレート５１２０は、第１のプレート５１００上で一方向において押される。
【０１２５】
この時点で、第１のプレート５１００において支持されるトーションバネ５１６０の弾性力を受けるリンク５１７０は、弾性力をローラ５１９０に移動させる。ローラ５１９０は、第２のプレート５１２０が動くことを制限するよう第１の固定溝５１４０に対して組み合わされる。
【０１２６】
この状態において、端末を開放するよう、ディスプレイ５０２０が手で押される場合、ディスプレイ５０２０及び第２のプレート５１２０は、図２３中で下方向に摺動される。この時点では、第１のプレート５１００及び第２のプレート５１２０は、案内ロッド５１５０を介して接続され、故に第２のプレート５１２０は、潤滑な直線運動を実行する。
【０１２７】
第２のプレート５１２０が開き始める場合、両ローラ５１９０は、第２の固定溝５１４０から外され、両傾斜面５１３０上でロールする。最初は、両傾斜面間の距離は徐々に低減され、故にローラ５１９０は、リンク５１７０及びトーションバネ５１６０を押圧する。
この手順の間、所望される抵抗力が発生し、故にユーザは、ローラ５１９０が転移点に達するまで第２のプレート５１２０を動かすようディスプレイ５０２０を押さなければならない。
【０１２８】
図２８中に示される通り、ローラ５１９０が転移点５１３２を越えて動く場合、両傾斜面５１３０間の距離は、徐々に増大され、トーションバネ５１６０は広げられる。この手順の間、トーションバネ５１６０の拡張力は、ローラ５１９０を介して開放方向において第２のプレート５１２０を押す力として働く。故に、ローラ５１９０が転移点を通った後は、ユーザはディスプレイ５０２０を押す必要はなく、第２のプレート５１２０は自動的に開放位置まで動く。
【０１２９】
図２５中に示される通り、ディスプレイ５０２０及び第２のプレート５１２０は完全に開放され、ローラ５１９０は第２の固定溝５１４２に対して再度ラッチをかけられ、故に所望の保持力が生成される。故に、第２のプレート５１２０は、その開放状態を保持する。
【０１３０】
ディスプレイ５０２０が開放される際、メインボディ５０１０のキーパッド５０１２は、開放され、液晶ウィンドウ５０２２は、事前に準備されていた機能に従ってオンにされる。故に、ユーザは、端末の本来の機能を使用し得る。
【０１３１】
他方では、ディスプレイ５０２０が開放されている状態において、ユーザは、携帯端末を閉鎖するよう、開放動作に対してディスプレイ５０２０を対向する方向において押し得る。ディスプレイ５０２０の閉鎖動作は、上述された開放動作の逆のオーダにおいて実行される。
【０１３２】
この実施例では、トーションバネは、弾性部材として使用されるが、それに制限されない。例えば、圧縮バネ、重ね板バネ等は、両方向において弾性力を生成できる限り、本発明の摺動機構に対して適用され得る。
【０１３３】
これより、本発明の第６の実施例が説明される。
【０１３４】
図３２は、本発明の第６の実施例に従った携帯通信端末を摺動可能に開閉する機構の分解斜視図である。図３３は、図３２中の摺動機構の組み立てられた状態を示す。図３４は、本発明の第６の実施例に従った摺動機構の閉鎖状態を示す。
【０１３５】
携帯端末を構成するメインボディ５０１０は、その上面の下方端部において取り付けられるキーパッド５０１２を有し、多種の機能を実行するメインボードを収容する。加えて、液晶ウィンドウ５０２２は、ディスプレイ５０２０において取り付けられ、ディスプレイ５０２０及びメインボディ５０１０は、可撓性であるプリント基板を介して互いに対して電気的に接続される。
【０１３６】
携帯端末のメインボディからスライダボディを開閉する摺動機構は、メインボディ５０１０と組み合わされる第１のプレート５１００、第１のプレート５１００から一方向において摺動されるようディスプレイ５０２０に対して結合され、且つ傾斜方向が中心において反転されるところの第１の転移点５１３２ａを有する第１の傾斜面５１３０ａと、傾斜方向が中心において反転されるところの第２の転移点５１３２ｂを有する傾斜面５１３０ｂとを有する第２のプレート５１２０、第２のプレート５１２０の移動方向に対して垂直である方向において弾性力を生成する弾性手段、弾性手段を第１のプレート５１００に対して固定する接続部材、及び、弾性部材からの弾性力を受け、且つ傾斜面５１３０にそれを移動させて第２のプレート５１２０が第１のプレート５１００から摺動され得るようにする１つ又はそれ以上のスリップ部材、を有する。
【０１３７】
第１の傾斜面５１３０ａ及び第２の傾斜面５１３０ｂは夫々、第２のプレート５１２０の左右対称の位置に置かれる。両第１の傾斜面５１３０ａ間の距離及び両第２の傾斜面５１３０ｂ間の距離は、夫々第１の転移点５１３２ａ及び第２の転移点５１３２ｂにおいて最低限に抑えられる。
【０１３８】
加えて、弾性部材、接続部材、及びスリップ部材は、左右対称の位置において２つ一組で形成される。
【０１３９】
１つ又はそれ以上の案内ロッド５１５０は、第１のプレート５１２０に対してその移動方向において固定される。第１のプレート５１００は、案内ロッド５１５０が摺動可能に結合され得るよう形成された案内ホール５１０２を有する。故に第１のプレート５１００及び第２のプレート５１２０は、案内ロッド５１５０の案内ホール５１０２との接続を用いて互いに対して摺動可能に接続される。
【０１４０】
第２のプレート５１２０の両端部において、案内ロッドが挿入されるところの接続ホール５１２２が形成され、案内ロッド５１５０の両端部は、接続ホール５１２２に対して結合される。
【０１４１】
弾性部材は、トーションバネ５１６０を有して形成される。
【０１４２】
接続部材は、１つ又はそれ以上のリンク５１７０を有して形成され、該リンクによって弾性手段は、第１のプレート５１００において支持され、リンクの一端が第１のプレート５１００において軸支持され且つその他端が弾性部材の端部において軸支持されるようにする。各リンク５１７０は、第１の中心軸５１８０を用いて第１のプレート５１００において回転可能に取り付けられる。第１の中心軸５１８０は、ライン５１７０の回転中心を構成する。
【０１４３】
トーションバネ５１６０を取り付けるよう、トーションバネ５１６０の各端部は、フック５１６２を形成するよう屈曲され、各リンク５１７０は、フック５１６２と係合される突起５１７２を有する。各突起５１７２は、夫々フック５１６２と係合し、トーションバネ５１６０の各端部は、リンク５１７０に対して回転可能に結合される。
【０１４４】
第１のプレート５１００は、弾性手段が外れることを防止するよう形成されるカバーを備えられる。
【０１４５】
スリップ部材は、ローラ５１９０を有して形成される。該ローラは、リンク５１７０において支持され、弾性部材の第１の傾斜面５１３０ａ及び第２の傾斜面５１３０ｂにおいてロールする。ローラ５１９０は、第２の中心軸５１９２を介してリンク５１７０において回転可能に取り付けられる。ローラ５１９０は、摩擦力を最低限に抑えるよう第１の傾斜面５１３０ａ及び第２の傾斜面５１３０ｂにおいてロールする。
【０１４６】
ローラ５１９０が第１の転移点５１３２ａ及び第２の転移点５１３２ｂに対して第１の傾斜面５１３０ａ及び第２の傾斜面５１３０ｂ上の閉鎖位置に置かれる際、ローラ５１９０は、閉鎖方向において第２のプレート５１２０に対して力を与える。ローラ５１９０が第１の転移点５１３２ａ及び第２の転移点５１３２ｂに対して第１の傾斜面５１３０ａ及び第２の傾斜面５１３０ｂ上の開放位置に置かれる際、該ローラは、開放方向において第２のプレート５１２０に対して力を与える。
【０１４７】
第２のプレート５１２０がその閉鎖位置及び開放位置に置かれる際に保持力を生成するよう、半円形を有する第１の固定溝５１４０は、第１の傾斜面５１３０ａと第２の傾斜面５１３０ｂとの間に形成される。
【０１４８】
加えて、第２のプレート５１２０がキーパッドの開放方向において開かれる際に保持力を生成するよう、第２の固定溝５１４２は、各第１の傾斜面５１３０ａの残りの端部において形成される。第２のプレートがカメラの開放方向において開かれる際に保持力を生成するよう、第３の固定溝５１４４は、各第２の傾斜面５１３０ｂの端部において形成される。
【０１４９】
上述された通り、携帯端末は、ディスプレイ５０２０がメインボディ５０１０のメインボードにおいて開かれる際に液晶ウィンドウがオンにされるよう構成され、ディスプレイ５０２０がメインボディ５０１０において閉鎖される際は、液晶ウィンドウ５０２２がオフにされる。
【０１５０】
以下に、この実施例の動作が説明される。
【０１５１】
まず、図３３中に示される通り、携帯端末が閉鎖される際は、ディスプレイ５０２０に対して結合される第２のプレート５１２０は、第１のプレート５１００上の一方向において押される。
【０１５２】
この時点では、第１のプレート５１００において支持されるトーションバネ５１６０の弾性力を受けるリンク５１７０は、該弾性力をローラ５１９０に移動させる。ローラ５１９０は、第２のプレート５１２０が動くことを制限するよう第１の固定溝５１４０に対して組み合わされる。
【０１５３】
この状態において、端末を開放するよう、ディスプレイ５０２０が手で押される場合、ディスプレイ５０２０及び第２のプレート５１２０は図３３において下方向に摺動される。この時点では、第１のプレート５１００及び第２のプレート５１２０は、案内ロッド５１５０を介して接続され、故に第２のプレート５１２０は潤滑な直線運動を実行する。
【０１５４】
図３５は、第２のプレートがキーパッドの開放方向において開放される図３３中の摺動機構の斜視図である。
【０１５５】
第２のプレート５１２０が開かれ始める場合、両ローラ５１９０は、第１の固定溝５１４０から外され、両第１の傾斜面５１３０ａ上でロールする。最初に、両第１の傾斜面５１３０ａ間の距離は、徐々に低減され、故にローラ５１９０は、リンク５１７０及びトーションバネ５１６０を押圧する。この手順の間、所望の抵抗力が発生し、故にユーザは、ローラ５１９０が第１の転移点５１３２ａに達するまで第２のプレート５１２０を動かすよう、ディスプレイ５０２０を押さなければならない。
【０１５６】
ローラ５１９０が第１の転移点５１３２ａを越えて動く場合、両第１の傾斜面５１３０ａ間の距離は徐々に増大し、トーションバネ５１６０は拡張される。この手順の間、トーションバネ５１６０の拡張力は、ローラ５１９０を介して開放方向において第２のプレート５１２０を押す力として働く。故に、ローラ５１９０が第１の転移点５１３２ａを通過後、ユーザは、ディスプレイ５０２０を押す必要は無く、第２のプレート５１２０は自動的に開放位置まで動く。
【０１５７】
図３６は、第２のプレートがキーパッドの開放方向において開かれる図３５中の第２のプレートの斜視図である。図３７は、ディスプレイがキーパッドの開放方向において開かれる図３４中の携帯端末の斜視図である。
【０１５８】
ディスプレイ５０２０及び第２のプレート５１２０がキーパッドの開放方向において完全に開かれる場合、ローラ５１９０は、第２の固定溝に対して再度ラッチをかけられ、故に所望の保持力が生成される。故に、第２のプレート５１２０は、その開放状態を保持する。
【０１５９】
ディスプレイ５０２０が開かれる際、メインボディ５０１０のキーパッド５０１２は開かれ、液晶ウィンドウ５０２２は、事前に準備されていた機能に従ってオンにされる。故に、ユーザは、端末の本来の機能を使用し得る。
【０１６０】
他方では、ディスプレイ５０２０が開放されている状態において、ユーザは、携帯端末を閉鎖するよう開放方向に対向する方向においてディスプレイ５０２０を押し得る。ディスプレイ５０２０の閉鎖動作は、上述された開放動作に対して逆のオーダにおいて実行され得る。
【０１６１】
ユーザが携帯端末をカメラとして使用しようとする場合、ユーザは、図３３において下方向にディスプレイ５０２０を押す。この時点では、第１のプレート５１００及び第２のプレート５１２０は案内ロッド５１５０を介して接続され、故に第２のプレート５１２０は、潤滑な直線運動を実行する。
【０１６２】
図３８は、第２のプレートがカメラの開方向において開かれる図３３中の摺動機構の斜視図である。
【０１６３】
第２のプレート５１２０が開き始める場合、両ローラ５１９０は、第１の固定溝５１４０から外され、両第２の傾斜面５１３０ｂ上で巻く。まず、両第２の傾斜面５１３０ｂ間の距離は徐々に低減され、故にローラ５１９０は、リンク及びトーションバネ５１６０を押圧する。この手順の間、所望の抵抗力が発生し、故にユーザは、ローラ５１９０が第２の転移点５１３２ｂに達するまで第２のプレート５１２０を動かすようディスプレイ５０２０を押さなければならない。
【０１６４】
ローラ５１９０が第２の転移点５１３２ｂを越えて動く場合、両第２の傾斜面５１３０ｂ間の距離は、徐々に増大され、トーションバネ５１６０が拡張される。この手順の間、
トーションバネ５１６０の拡張力は、ローラ５１９０を介して開方向において第２のプレート５１２０を押す力として働く。故に、ローラ５１９０が第２の推移点５１３２ｂを通過後、ユーザは、ディスプレイ５０２０を押す必要は無く、第２のプレート５１２０は自動的に開放位置まで動く。
【０１６５】
図３９は、第２のプレートがカメラの開放方向において開かれる図３８中の第２のプレートの斜視図である。図４０は、ディスプレイがカメラの開放方向において開かれる図３４中の携帯端末の斜視図である。
【０１６６】
ディスプレイ５０２０及び第２のプレート５１２０がカメラの開放方向において完全に開かれる場合、ローラ５１９０は、第２の固定溝５１４４に対して再度ラッチをかけられ、故に所望の保持力が生成される。故に第２のプレート５１２０は、その開放状態を保持する。
【０１６７】
したがって、メインボディ５０１０のカメラ５０１４は開かれ、故にユーザはカメラ５０１４を使用して写真を撮ることができる。
【０１６８】
他方では、ディスプレイｓ５０２０が開放されている状態において、ユーザは、携帯端末を閉鎖するよう開放方向に対して対向する方向においてディスプレイ５０２０を押し得る。ディスプレイ５０２０の閉鎖動作は、上述された開放動作に対して逆のオーダにおいて実行される。
【０１６９】
この実施例では、トーションバネは、弾性部材として使用されるが、それに制限されない。例えば圧縮バネ、重ね板バネ等は、両方向において弾性力を生成する限り、本発明の摺動機構に対して適用され得る。
【０１７０】
以下に、本発明の第７の実施例が説明される。
【０１７１】
図４１は、本発明の第７の実施例に従った携帯通信端末を摺動可能に開閉する機構の分解斜視図である。図４２は、図４１の摺動機構の組み立てられた状態を示す斜視図である。図４４は、図４２中の摺動機構が適用されるところの携帯端末の概略的垂直断面図である。
【０１７２】
携帯端末を構成するメインボディ７１００は、その表面において取り付けられたキーパッドを有する。加えて、液晶ウィンドウは、サブボディ７１２０において取り付けられ、サブボディ７１２０及びメインボディ７１００は、可撓性のあるプリント基板を介して互いに対して電気的に接続される。
【０１７３】
サブボディ７１２０をメインボディ７１００から摺動可能に開閉するよう、メインボディ７１００は、メインプレート７１３０と組み合わされ、サブボディ７１２０は、スライダプレート７１５０を有して組み合わされ、メインプレート７１３０に対して摺動可能に結合される。
【０１７４】
上述されたスライダプレート７１５０は、スライダプレート７１５０の移動方向において形成された２つの摺動溝７１６０を備えられる。
【０１７５】
加えて、メインプレート７１３０は、そこに固定された２つの案内ピン７１４０を備えられる。案内ピン７１４０は、スライダプレート７１５０がメインプレート７１３０に対して摺動可能に結合されるよう、摺動溝７１６０と摺動可能に係合される。
【０１７６】
第１の接続ホール７１３２は、メインプレート７１３０において形成される。案内ピン７１４０において、摺動溝７１６０へと摺動可能に挿入されるボディ部分７１４２、第１の接続ホール７１３２に対して結合され且つボディ部分７１４２より小さい半径を有する挿入部分７１４４、及び、ボディ部分７１４２より大きい半径及びスライダ溝７１６０より大きい直径を有するヘッド部分７１４６、を有し、スライダプレート７１５０がメインプレート７１３０から外れることを防ぐ。
【０１７７】
スライダプレート７１５０は、スライダ溝７１６０の一端部において形成される拡張ホール７１６２を備えられ、拡張ホール７１６２がヘッド部分７１４６の直径より大きい直径を有するようにし、その結果ヘッド部分は拡張ホール７１６２を介して通り得る。加えて、保持部材は、スライダ溝７１６０へと挿入される案内ピン７１４０を有して案内ピン７１４０が拡張ホール７１６２へと動くことから防ぐよう取り付けられる。
【０１７８】
第２の接続ホール７１５２は、スライダプレート７１５０において形成される。加えて、保持部材は、第２の接続ホール７１５２へと挿入される押し挿入（ｐｒｅｓｓ−ｉｎｓｅｒｔ）部分７１７２、及び、スライダプレート７１５０の動きを制限するようメインプレート７１３０と接触される保持ピン７１７０、を有して形成される。
【０１７９】
加えて、メインプレート７１３０は、保持ピン７１７０が挿入されるところの所望の深さを有して形成される凹部を備えられる。
【０１８０】
上述された摺動機構を有して、メインプレート７１３０と組み合わされる案内ピン７１４０のヘッド部分７１４６は、スラプレート７１５０の拡張ホール７１６２へと挿入され、故に案内ピン７１４０のボディ部分７１４２は、摺動溝７１５０へと動かされる。加えて、保持ピン７１７０が第２の接続ホール７１５２へと押し挿入される際、保持ピン７１７０はメインプレート７１３０の凹部７１３４と係合され、案内ピン７１４０は、拡張ホール７１６２に対して動くことが防がれ、故に案内ピン７１４０はスライダプレート７１５０から外れない。
【０１８１】
他方では、弾性部材は、スライダプレート７１５０を弾性的に開閉するよう与えられる。
【０１８２】
スライダプレート７１５０の移動経路中の特定の点において、弾性部材は、閉鎖位置に置かれる際に閉鎖方向において、あるいは開放位置に置かれる際に開放方向において、スライダプレート７１５０上に弾性力を与える。望ましくは、弾性部材は、トーションバネ７１８０を有して形成される。
【０１８３】
他方では、前出の非特許文献１は、約３ｍｍの厚さを有する開閉装置を開示する。対照的に、本発明の摺動機構は、２ｍｍの低減された厚さを有する。
【０１８４】
以下に、この実施例の動作が説明される。
【０１８５】
まず、図４２及び図４４中に示される通り、通信端末が閉鎖される際、ＬＣＤウィンドウを取り付けられるサブボディ７１２０は、それを閉鎖するようメインボディ７１００と重畳される。この時点では、トーションバネ７１８０の弾性力が閉鎖方向において与えられるため、サブボディ７１２０に対して結合されるスライダプレート７１５０は、閉鎖状態を保持する。
【０１８６】
この状態において、サブボディ７１２０は、通信端末を開放するよう手で押される際、サブボディ７１２０は、スライダプレート７１５０と共に摺動する。この時点では、メインプレート７１３０に対して固定される案内ピン７１４０のボディ部分７１４２は、スライダプレート７１５０の摺動溝７１６０を案内し、スライダプレート７１５０は潤滑な直線運動を実行する。
【０１８７】
このようにして、スライダプレート７１５０が開放される間、力は、サブボディ７１２０を開放するために初期状態においてサブボディ７１２０を押すよう、与えられなければならない。しかしながら、トーションバネ７１８０の転移点を通過後、トーションバネ７１８０の弾性力は、スライダプレート７１５０が開放方向において押されるよう対向する方向において与えられる。故に、この観点から、スライダプレート７１５０は、サブボディ７１２０に力を加えることなく、開放状態まで自動的に動かされる。
【０１８８】
図４２は、本発明の摺動機構の開放状態を示す斜視図であり、図４５は、携帯端末の開放状態の垂直断面図である。
【０１８９】
サブボディ７１２０が完全に開放される場合、スライダプレート７１５０は、トーションバネ７１８０の押す力により開放状態を保持する。
【０１９０】
サブボディ７１２０が開放される場合、メインボディ７１００のキーパッドは開放され、ユーザは、通信端末の本来の機能を使用することができる。
【０１９１】
他方では、サブボディ７１２０を開放状態から閉鎖するよう、ユーザは、開放される際に対して対向する方向においてサブボディ７１２０を押す。サブボディ７１２０の閉鎖動作は、その開放の対向するオーダにおいて実行される。
【０１９２】
以下では、本発明の第８の実施例に従った摺動機構は、添付の図面を参照して詳細に説明される。
【０１９３】
図４６は、本発明の第８の実施例に従った通信端末を摺動可能に開閉する機構の分解斜視図である。図４７は、図４６の摺動機構の組み立てられた状態を示す斜視図である。
【０１９４】
加えて、図４８は、図４７中の参照符号８０１０の後方側を示す拡大斜視図である。図４９は、第２のプレート８１００を組み立てる前の図４７中の参照符号８０２０の後方を部分的に図示する拡大斜視図である。
【０１９５】
この実施例の摺動機構は、携帯端末の多種の機能を実行するメインボードを収容するメインボディを構成する第１のボディ（図示せず）、上方にディスプレイを取り付けられ且つ第１のボディから一方向において摺動可能に動く第２のボディ（図示せず）、第２のボディ（図示せず）の移動方向に置かれる案内ロッド８３００、第１のボディ（図示せず）に接続及び固定され、且つ案内ロッド８３００の円周面の一側と接続される案内溝８２３０を有する第１のプレート８２００、第２のボディ（図示せず）及び第１のプレート８２００に対して結合される案内ロッド８３００の他側に対して摺動可能に接続される案内リブ８１２００と固定される第２のプレート８１００、及び、第２のプレート８１００が第１のプレート８２００を動かす際にもたらされる衝撃を吸収し、且つ案内ロッド８４００の運動を緩衝するダンパー８４００、を有する。
【０１９６】
加えて、望ましくは、弾性手段８５００は、第２のプレート８１００が摺動可能に移動する間弾性力を生成するよう与えられる。
【０１９７】
第１のボディ（図示せず）及び第２のボディ（図示せず）は、携帯端末の大部分を構成し、互いに対して連絡し且つ共に動作するよう可撓性のあるプリント基板を介して電気的に接続される。第１のプレート８２００は、第１のボディ（図示せず）に対して結合され、また、第２のプレート８１００は、第２のボディ（図示せず）に対して結合されて、第２のプレート８１００は、第１のプレート８２００の一方向において摺動可能に動く。
【０１９８】
本発明のこの実施例は、第１のプレートと第２のプレートとの間の多方向の衝撃を低減するよう設計される。該衝撃は、第２のプレート８１００が第１のプレート８２００に対して反復的に動く間にもたらされ得、また、多種の原意によって形成され得る多種の悪影響を低減もする。
【０１９９】
この目的に対して、案内ロッド８３００は、優れた表面の潤滑性及び優れた強度を有する材料を有して形成されて与えられ、第２のプレート８１００は、案内ロッド８３００上で潤滑に摺動し得る。
【０２００】
他方では、案内ロッド８３００は、第２のプレート８１００の移動方向に対して円形の断面を有することが望ましい。故に、この実施例の核構成部品を組み立てる際、構成部品のクリアランスによってもたらされる動作への悪影響が低減され得、組み立て特性が改善され得る。
【０２０１】
第１のプレート８２００は、案内ロッド８３００が第２のプレート８１００の摺動運動の一方向において結合されるところの両側において形成される案内溝８２３０を備えられる。組み立てホール８２２０は、案内ロッド８３００を案内溝８２３０に対して取り付け及び固定するよう与えられる。第１のプレート８２００は、弾性手段８５００の一側が摺動中に弾性力を生成するよう接続されるところの第１の接続ホール８２１０、及びダンパー８４００が結合される接続部分８２４０を有する。
【０２０２】
案内溝８２３０は、案内ロッド８３００の円周面の一側と密接に接触して接続される。故に、案内溝８２３０は、案内ロッド８３００の望ましい円形断面に従って、半円構造を有することが望ましい。
【０２０３】
第２のプレート８１００は、第１のプレート８２００に対して接続される案内ロッド８３００の露出された外側円周面に対して接続されるよう形成された案内リブ８１２０を備えられる。第２のプレート８１００は、弾性手段の一側が結合されるところの第２の接続ホール８１１０を有し、第１のプレート８２００は、初期状態において外部の力を用いて摺動可能に動く間、弾性力を用いて自動的に摺動されるようにする。
【０２０４】
案内リブ８１２０が案内溝８２３０と共に案内ロッド８３００の円形断面の周囲を包むよう構築されるため、第２のプレート８１００が摺動可能に動き得るよう接続されるよう、半円構造を有することが望ましい。
【０２０５】
ダンパー８４００は、第１のプレート８２００の接続部分８２４０に対して結合されるよう、接続部分８２４０に対応する構造を有する。ダンパー８４００は、案内ロッド８３００がそこに接続されるよう通るところの接続ホール８４１０を備えられる。
【０２０６】
ダンパー８４００は、ダンパーの接続ホール８４１０を介して夫々案内ロッド８３００の両側に対して接続され、続いて、第１のプレート８２００の接続部分８２４０へと挿入及び固定される。実際には、案内ロッド８３００は、ダンパー８４００を介して第１のプレート８２００と組み合わされる。
【０２０７】
加えて、ダンパー８４００は、第２のプレート８１００が摺動可能に動くところの案内ロッド８３００の両端に対して接続され、第１及第２のプレート８２００及び８１００が互いに対して摺動可能に動いている間にもたらす衝撃を吸収する。ダンパー８４００は、弾性の材料を有して形成され、案内ロッド８３００が摺動軸上、また他の方向において振動されることを防がれ得るようにする。
【０２０８】
この実施例では、ダンパー８４００は、ラバー材料を有して形成される。
【０２０９】
即ち、ダンパー８４００は、多種の方向において案内ロッドのわずかな振動を補正するよう緩衝し、その結果として構成部品を組み立てる際の組み立て特性を更に改善する。また、ダンパー８４００は、第２のプレート８１００が反復された摺動運動によって変形されることを防ぎ、故に、その不具合動作を避け、その結果潤滑な摺動運動を可能にする。
【０２１０】
弾性手段８５００は、弾性手段が第２のヒンジ軸８６００を用いて第１のプレート８２００の第１の位置に対して回転可能に接続されるところの第１のブロック、弾性手段が第１の位置から異なる移動経路を有する第２のプレート８１００の第２の位置に対して第２のヒンジ軸８６００を用いて回転可能に接続されるところの第２のブロック、第２のプレート８１００が摺動可能に動く間に弾性力を生成する圧縮バネ８５２０、を有する。
【０２１１】
第２のプレート８１００が動く間に転移点に対して閉鎖位置に第２のプレート８１００が位置決めされる際、第１のブロック８５１０は、第２のブロック８５３０から閉鎖方向に置かれる。故に、弾性手段８５００の弾性力は、第２のプレート８１００の閉鎖方向において与えられる。
【０２１２】
第２のプレート８１００が開放位置に置かれる際、第１のブロック８５１０は、第２のブロック８５３０からの開放位置に置かれる。故に、弾性手段８５００の弾性力は、第２のプレート８１００の閉鎖方向において与えられる。
【０２１３】
以下では、この実施例の動作が説明される。
【０２１４】
外部の力なく、第２のプレート８１００は、圧縮バネ８５２０の弾力によってもたらされる第１のブロック８５１０の押す力により、その閉鎖状態を保持する。
【０２１５】
この状態において、第２のボディ（図示せず）が携帯端末のディスプレイが取り付けられる第２のプレート８１００を開放するよう手で押される際、第２のボディ（図示せず）に結合される第２のプレート８１００は、摺動可能に動く。この時点では、第２のプレート８１００の案内リブ８１２０は、第１のプレート８２００に対して固定される案内ロッド８３００の案内を用いて直線運動を実行する。
【０２１６】
直線運動中、ダンパー８４００は、摺動軸に対して垂直な方向においてもたらされる案内ロッド８３００の振動を弾性的に緩衝し、その結果として第２のプレート８１００がより潤滑に摺動し得るようにする。
【０２１７】
第２のプレート８１００が開放される場合、第２のプレート８１００は第１のブロック８５１０を押し、圧縮バネ８５２０を押圧し、その結果として弾性力を増大させる。故に、第２のプレート８１００の開放に対して抵抗する力が発生し、第２のプレート８１００は、転移点を越えて動き続ける。続いて、第１のブロック８５１０は再度、圧縮バネ８５２０の弾性力により、その開放方向において第２のプレート８１００を押し、故にこの点から、第２のプレートは自動的にその開放位置まで動く。
【０２１８】
加えて、第２のプレート８１００は、圧縮バネ８５２０によってもたらされる第１のブロック８５２０の押す力により、その開放状態を保持する。
【０２１９】
閉鎖動作は、上述された開放手順に対して逆のオーダにおいて実行される。
【０２２０】
このようにして、第２のプレート８１００が開閉される間、摺動方向の両端に置かれるダンパーは、第１のプレート８２００と第２のプレート８１００との間に発生する衝撃を吸収し、その結果として携帯通信端末において収容される構成部品を保護する。
【０２２１】
本発明は複数の望ましい実施例を参照して説明されてきたが、説明は本発明を例証するものであり、本発明を制限するものとして解釈されるべきではない。当業者は、添付の請求項によって定義付けられた本発明の範囲及び趣旨から逸脱することなく、多種の修正及び変更を考え得る。
【０２２２】
上述された通り、本発明の摺動機構は、携帯通信端末において取り付けられ、力がサブボディ上に最初に与えられる場合、サブボディは、摺動可能且つ自動的に開閉され、続いてその開放又は閉鎖状態を保持する。
【図面の簡単な説明】
【０２２３】
【図１】本発明の第１の実施例に従った携帯通信端末の分解斜視図である。
【図２】図１中の携帯通信端末を摺動可能に開閉する機構の横断方向断面図である。
【図３】図２の垂直方向断面図である。
【図４】図２中の機構を開放する中間状態を図示する横断方向断面図である。
【図５】図２中の機構の開放状態を図示する横断方向断面図である。
【図６】図５の垂直方向断面図である。
【図７】本発明の第２の実施例に従った携帯通信端末の分解斜視図である。
【図８】図７中の端末を開閉する摺動機構の横断方向断面図である。
【図９】図８の垂直方向断面図である。
【図１０】図８中の機構を開放する中間状態を図示する横断方向断面図である。
【図１１】図８中の機構の開放状態を図示する横断方向断面図である。
【図１２】図１１の垂直方向断面図である。
【図１３】本発明の第３の実施例に従った通信端末を摺動可能に開閉する機構の分解斜視図である。
【図１４】図１３中の摺動機構の組み立てられた状態を図示する。
【図１５】図１３中の摺動機構の閉鎖状態を概略的に図示する。
【図１６】図１３中の摺動機構の部分的開放状態を概略的に図示する。
【図１７】図１３中の摺動機構の完全開放状態を概略的に図示する。
【図１８】本発明の第４の実施例に従った通信端末を摺動可能に開閉する機構の分解斜視図である。
【図１９】携帯端末が完全に閉じられている摺動機構の斜視図である。
【図２０】図１９中の摺動機構の正面図である。
【図２１】図１９中の摺動機構の側面図である。
【図２２】携帯端末が完全に開放されている摺動機構の斜視図である。
【図２３】図２２中の摺動機構の正面図である。
【図２４】図２２中の摺動機構の側面図である。
【図２５】本発明の第５の実施例に従った通信端末を摺動可能に開閉する機構の分解斜視図である。
【図２６】図２５中の摺動機構の組み立てられた状態を図示する。
【図２７】第２のプレートが閉じられている図２６の摺動機構の平面図である。
【図２８】端末が閉じられている本発明の第５の実施例に従った摺動機構を備えられた携帯端末の斜視図である。
【図２９】第２のプレートがその開放方向において動く図２７中の第２のプレートの平面図である。
【図３０】第２のプレートがその開放位置に対して動かされる図２８中の第２のプレートの平面図である。
【図３１】ディスプレイが開かれている図２８中の携帯端末の斜視図である。
【図３２】本発明の第６の実施例に従った通信端末を摺動可能に開閉する機構の分解斜視図である。
【図３３】図３２中の摺動機構の組み立てられた状態を図示する。
【図３４】端末が閉じられている本発明の第６の実施例に従った摺動機構を備えられた携帯端末の斜視図である。
【図３５】第２のプレートがキーパッドの開放位置に対して動かされている図３３中の第２のプレートの斜視図である。
【図３６】第２のプレートがキーパッドの開放位置において開放されている図３５中の第２のプレートの斜視図である。
【図３７】ディスプレイがキーパッドの開放方向において開放されている図３４中の携帯端末の斜視図である。
【図３８】第２のプレートがカメラの開放方向において動かされている図３３中の第２のプレートの斜視図である。
【図３９】第２のプレートがカメラの開放方向において開放されている図３８中の第２のプレートの斜視図である。
【図４０】ディスプレイがカメラの開放方向において開放されている図３４の携帯端末の斜視図である。
【図４１】本発明の第７の実施例に従った通信端末を摺動可能に開閉する機構の分解斜視図である。
【図４２】図４１中の摺動機構の組み立てられた状態を示す斜視図である。
【図４３】図４２中の摺動機構の開放状態を図示する斜視図である。
【図４４】図４２の摺動機構が適用されるところの携帯端末の概略的垂直方向断面図である。
【図４５】第２のボディが開放されている図４４中の携帯端末の概略的垂直方向断面図である。
【図４６】本発明の第８の実施例に従った通信端末を摺動可能に開閉する機構の分解斜視図である。
【図４７】図４６中の摺動機構の組み立てられた状態を示す斜視図である。
【図４８】図４７中の摺動機構の後面の一部分を示す拡大された斜視図である。
【図４９】図４７中の摺動機構の後面の他の部分を部分的に示す拡大斜視図である。
【図１】
2008501288.tif 000003
【図２】
2008501288.tif 000004
【図３】
2008501288.tif 000005
【図４】
2008501288.tif 000006
【図５】
2008501288.tif 000007
【図６】
2008501288.tif 000008
【図７】
2008501288.tif 000009
【図８】
2008501288.tif 000010
【図９】
2008501288.tif 000011
【図１０】
2008501288.tif 000012
【図１１】
2008501288.tif 000013
【図１２】
2008501288.tif 000014
【図１３】
2008501288.tif 000015
【図１４】
2008501288.tif 000016
【図１５】
2008501288.tif 000017
【図１６】
2008501288.tif 000018
【図１７】
2008501288.tif 000019
【図１８】
2008501288.tif 000020
【図１９】
2008501288.tif 000021
【図２０】
2008501288.tif 000022
【図２１】
2008501288.tif 000023
【図２２】
2008501288.tif 000024
【図２３】
2008501288.tif 000025
【図２４】
2008501288.tif 000026
【図２５】
2008501288.tif 000027
【図２６】
2008501288.tif 000028
【図２７】
2008501288.tif 000029
【図２８】
2008501288.tif 000030
【図２９】
2008501288.tif 000031
【図３０】
2008501288.tif 000032
【図３１】
2008501288.tif 000033
【図３２】
2008501288.tif 000034
【図３３】
2008501288.tif 000035
【図３４】
2008501288.tif 000036
【図３５】
2008501288.tif 000037
【図３６】
2008501288.tif 000038
【図３７】
2008501288.tif 000039
【図３８】
2008501288.tif 000040
【図３９】
2008501288.tif 000041
【図４０】
2008501288.tif 000042
【図４１】
2008501288.tif 000043
【図４２】
2008501288.tif 000044
【図４３】
2008501288.tif 000045
【図４４】
2008501288.tif 000046
【図４５】
2008501288.tif 000047
【図４６】
2008501288.tif 000048
【図４７】
2008501288.tif 000049
【図４８】
2008501288.tif 000050
【図４９】
2008501288.tif 000051
【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
メインボディとスライダボディとを有する携帯通信端末を摺動可能に開閉する機構であって、
前記スライダボディは、前記端末を開閉するよう前記メインボディ上を摺動可能に移動することができ、
前記機構は、
（ａ）  前記メインボディに対して結合される固定プレートと、
（ｂ）  前記固定プレートに対して摺動するよう前記スライダボディに対して結合されるスライダプレートと、
（ｃ）  一端部が前記固定プレートの第１の位置において支持され、他端部が前記スライダプレートの第２の位置において支持される、前記固定プレートと前記スライダプレートとの間に配置される第１のジグザグバネと、
を有し、
（ｄ）  前記第１及び第２の位置は、前記スライダプレートが前記固定プレート上を移動する間の特定の転移点において、前記スライダプレートが、閉じられる際は閉鎖方向に向かって、また、開けられる際は開放方向に向かって弾性的にバイアスをかけられるよう確定される、
機構。
【請求項２】
前記転移点の前の前記スライダプレートの移動距離は、前記転移点を越える移動距離とは異なる、
請求項１記載の機構。
【請求項３】
前記固定プレートと前記スライダプレートとの間に配置される第２のジグザグバネを更に有し、
前記第２のジグザグバネの一端部は、前記固定プレートの第３の位置において支持され、他端部が前記スライダプレートの第４の位置において支持され、前記第１及び第２のジグザグバネは、互いに干渉しないよう異なるレベルにおいて配置され、
前記第３及び第４の位置は、前記スライダプレートが前記固定プレート上を移動する間の前記特定の転移点において、前記スライダプレートが、閉じられる際は閉鎖方向に向かって、また、開けられる際は開放方向に向かって弾性的にバイアスをかけられるよう確定される、
請求項１記載の機構。
【請求項４】
前記第１及び第２のジグザグバネの両端部は、前記固定プレート及び前記スライダプレートに対して夫々回転可能である、
請求項３記載の機構。
【請求項５】
前記第１のジグザグバネは、前記スライダプレートが摺動方向に対して垂直である一方向においてバイアスをかけられるよう配置され、前記第２のジグザグバネは、前記スライダプレートが前記一方向に対して対向する方向においてバイアスをかけられるよう配置される、
請求項３記載の機構。
【請求項６】
前記第１のジグザグバネの前記一端部と前記第２のジグザグバネの前記一端部との間の距離は、前記第１のジグザグバネの他端部と前記第２のジグザグバネの他端部との間の距離より大きい、
請求項３記載の機構。
【請求項７】
前記固定プレート及び前記スライダプレートは、プラスチック材料を有して形成される、
請求項１記載の機構。
【請求項８】
メインボディとスライダボディとを有する携帯通信端末を摺動可能に開閉する機構であって、
前記スライダボディは、前記端末を開閉するよう前記メインボディ上を摺動可能に移動することができ、
前記機構は、
（ａ）  前記メインボディに対して結合される固定プレートと、
（ｂ）  前記固定プレートに対して摺動するよう前記スライダボディに対して結合されるスライダプレートと、
（ｃ）  一端部が前記固定プレートの第１の位置において支持され、他端部は前記スライダプレートの第２の位置において支持され、前記固定プレートと前記スライダプレートとの間に配置される第１のジグザグバネと、
（ｄ）  一端部が前記固定プレートの第３の位置において支持され、他端部が前記スライダプレートの第４の位置において支持され、前記固定プレートと前記スライダプレートとの間に配置される第２のジグザグバネと、
を有し、
（ｅ）  前記第１及び第２のジグザグバネは、互いに対して干渉しないよう異なるレベルにおいて配置され、前記第１、第２、第３、及び第４の位置は、前記スライダプレートが、閉じられる際は閉鎖方向に向かって、また、開けられる際は開放方向に向かって前記固定プレート上で前記スライダプレートが移動する間の特定の転移点において弾性的にバイアスをかけられるよう確定される、
機構。
【請求項９】
前記第１及び第２のジグザグバネの両端部は、前記固定プレート及び前記スライダプレートに対して夫々回転可能である、
請求項８記載の機構。
【請求項１０】
前記転移点の前の前記スライダプレートの移動距離は、前記転移点を越える移動距離とは異なる、
請求項８記載の機構。
【請求項１１】
前記第１のジグザグバネは、前記スライダプレートが摺動方向に対して垂直である一方向においてバイアスをかけられるよう配置され、前記第２のジグザグバネは、前記スライダプレートが前記一方向に対して対向する方向においてバイアスをかけられるよう配置される、
請求項８記載の機構。
【請求項１２】
前記第１のジグザグバネの前記一端部と前記第２のジグザグバネの前記一端部との間の距離は、前記第１のジグザグバネの他端部と前記第２のジグザグバネの他端部との間の距離より大きい、
請求項８記載の機構。
【請求項１３】
電子機器を開閉する装置であって、
前記電子機器は、第１のボディと、前記電子機器を開閉するよう第１のボディ上で摺動する第２のボディとを有し、
前記装置は、前記第１のボディと前記第２のボディとの間に配置される第１のジグザグバネを有し、
前記第１のジグザグバネの一端は前記第１のボディに対して取り付けられ、前記第１のジグザグバネの他端は前記第２のボディに対して取り付けられて、前記第１及び第２のボディが、前記第１のボディが前記第２のボディ上を摺動可能に移動する際、又はその逆である際、特定の転移点を越えて互いから離れてバイアスをかけられるようにする、
装置。
【請求項１４】
前記第１のジグザグバネの前記一端は、前記第１のボディに対して回転可能に取り付けられ、前記第１のジグザグバネの前記他端は、前記第２のボディに対して回転可能に取り付けられる、
請求項１３記載の装置。
【請求項１５】
前記転移点の前の前記第１又は第２のボディの移動距離は、前記転移点を越える移動距離とは異なる、
請求項１３記載の装置。
【請求項１６】
前記第１のボディと前記第２のボディとの間に配置される第２のジグザグバネを更に有し、
前記第２のジグザグバネの一端部は、前記第１のボディに対して取り付けられ、他端は前記第２のボディに対して取り付けられて、前記第１及び第２のボディが、前記第１のボディが前記第２のボディ上を摺動可能に移動する際、又はその逆である際、特定の転移点を越えて互いから離れてバイアスをかけられるようにし、
前記第１及び第２のジグザグバネは、互いに干渉しないよう異なるレベルにおいて配置される、
請求項１３記載の装置。
【請求項１７】
前記第２のジグザグバネの一端は、前記第１のボディに対して回転可能に取り付けられ、前記第２のジグザグバネの他端は、前記第２のボディに対して回転可能に取り付けられる、
請求項１６記載の装置。
【請求項１８】
前記第１のジグザグバネは、前記第１のボディが前記第１及び第２のボディの摺動方向に対して１つの横方向においてバイアスをかけられるよう配置され、前記第２のジグザグバネは、前記第１のボディが前記一横方向に対して対向する方向においてバイアスをかけられるよう配置される、
請求項１６記載の装置。
【請求項１９】
前記第１のジグザグバネの前記一端と前記第２のジグザグバネの前記一端との間の距離は、前記第１のジグザグバネの前記他端と前記第２のジグザグバネの前記他端との間の距離より大きい、
請求項１６記載の装置。
【国際調査報告】
2008501288.tif 000052
2008501288.tif 000053